(57)【要約】容器の内部空間内に少なくとも１つのパウチを含む閉鎖可能な容器を有する容器システムであって、パウチは、ポリビニルアルコール（ＰＶＯＨ）樹脂ブレンドを含む水溶性フィルム、並びに香料及び有機溶媒を含み、水溶性フィルムにより区画内に少なくとも部分的に封入された家庭用ケア組成物を含む。
2019513641.tif 000002
【特許請求の範囲】
【請求項１】
内部空間を画定する壁を有する閉鎖可能な容器と、
前記内部空間内の少なくとも１つのパウチであって、水溶性フィルムと、該水溶性フィルムによって区画内に少なくとも部分的に封入された家庭用ケア組成物と、を含む、パウチと、を含む、容器システムであって、
前記家庭用ケア組成物は前記家庭用ケア組成物の０．１重量％〜１０重量％の香料と、前記家庭用ケア組成物の１重量％〜５０重量％の有機溶媒と、を含み、
前記フィルムは、ポリビニルアルコール（ＰＶＯＨ）樹脂ブレンドを含み、
該ＰＶＯＨ樹脂ブレンドは、第１のアニオン性モノマー単位と、ビニルアルコールモノマー単位と、任意に酢酸ビニル単位と、を含む、第１のＰＶＯＨポリマーを含み、
前記ＰＶＯＨ樹脂ブレンドは、
ａ）第２のアニオン性モノマー単位と、ビニルアルコールモノマー単位と、任意に酢酸ビニル単位と、を含む、ＰＶＯＨポリマー、又は
ｂ）ビニルアルコールモノマー単位と、任意に酢酸ビニル単位と、から本質的になるＰＶＯＨホモポリマーからなる群から選択される第２のＰＶＯＨポリマーを更に含む、容器システム。
【請求項２】
前記第１のアニオン性モノマー単位が、ビニル酢酸、マレイン酸、マレイン酸モノアルキル、マレイン酸ジアルキル、マレイン酸無水物、フマル酸、フマル酸モノアルキル、フマル酸ジアルキル、フマル酸モノメチル、フマル酸ジメチル、フマル酸無水物、イタコン酸、イタコン酸モノメチル、イタコン酸ジメチル、イタコン酸無水物、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記の塩、好ましくは上記のアルカリ金属塩、上記のエステル、及びこれらの組み合わせからなる群から選択されるメンバーに由来する、請求項１に記載の容器システム。
【請求項３】
前記第１のアニオン性モノマー単位が、カルボキシル化アニオン性モノマー単位に由来する、請求項１又は２に記載の容器システム。
【請求項４】
前記第１のアニオン性モノマー単位が、マレイン酸、マレイン酸モノアルキル、マレイン酸ジアルキル、無水マレイン酸、及びこれらの組み合わせからなる群から選択されるメンバーに由来する、請求項１〜３のいずれか一項に記載の容器システム。
【請求項５】
前記第１のアニオン性モノマー単位が、マレイン酸モノメチル、その塩、及びこれらの組み合わせからなる群から選択されるマレイン酸モノアルキルに由来する、請求項１〜４のいずれか一項に記載の容器システム。
【請求項６】
前記第１のアニオン性モノマー単位が、前記第１のＰＶＯＨポリマー中に、前記第１のＰＶＯＨポリマーの１．０モル％〜５．０モル％、好ましくは２モル％〜４モル％の範囲の量で存在する、請求項１〜５のいずれか一項に記載の容器システム。
【請求項７】
前記第１のアニオン性モノマー単位が、前記フィルム中に、前記フィルム中の全ＰＶＯＨポリマーの０．５モル％〜５モル％の範囲の量で存在する、請求項１〜６のいずれか一項に記載の容器システム。
【請求項８】
前記第１のＰＶＯＨポリマーが、前記フィルム中の全ＰＶＯＨポリマーの１０重量％〜９０重量％の範囲の量で存在する、請求項１〜７のいずれか一項に記載の容器システム。
【請求項９】
前記第２のＰＶＯＨポリマーが、前記フィルム中の全ＰＶＯＨポリマーの１０重量％〜９０重量％の範囲の量で存在する、請求項１〜８のいずれか一項に記載の容器システム。
【請求項１０】
前記第２のＰＶＯＨポリマーが、ＰＶＯＨホモポリマーである、請求項１〜９のいずれか一項に記載の容器システム。
【請求項１１】
前記第１のＰＶＯＨポリマーが、前記ＰＶＯＨブレンド中に、前記ブレンド中の全ＰＶＯＨポリマーの２０重量％〜６５重量％、好ましくは２０重量％〜６０重量％、より好ましくは３０重量％〜４０重量％の範囲で存在し、
前記第１のＰＶＯＨポリマーの前記第１のアニオン性モノマー単位は、マレイン酸モノメチル、そのアルカリ金属塩、及びこれらの組み合わせからなる群から選択されるメンバーに由来し、
前記ＰＶＯＨホモポリマーは、２０℃での４％溶液粘度（μ２）が１０ｃＰ〜３０ｃＰであることを特徴とし、かつ前記ＰＶＯＨ樹脂ブレンド中に、前記ブレンド中の全ＰＶＯＨポリマーの４０重量％〜８０重量％、好ましくは６０重量％〜７０重量％の範囲で存在する、請求項１０に記載の容器システム。
【請求項１２】
前記第２のＰＶＯＨポリマーが、３．０〜４０ｃＰ、又は７〜４０ｃＰ、又は１０ｃＰ〜４０ｃＰ、又は１０ｃＰ〜３０ｃＰ、又は１２ｃＰ〜２５ｃＰの２０℃での４％溶液粘度（μ２）を特徴とする、請求項１〜１１のいずれか一項に記載の容器システム。
【請求項１３】
前記第２のＰＶＯＨポリマーが、６０％〜９９％、好ましくは８０％〜９８％、好ましくは８５％〜９５％、好ましくは８７％〜９２％の加水分解度を特徴とする、請求項１〜１２のいずれか一項に記載の容器システム。
【請求項１４】
前記第１のＰＶＯＨポリマーは、第１の２０℃での４％溶液粘度（μ１）を特徴とし、前記第２のＰＶＯＨポリマーは、第２の２０℃での４％溶液粘度（μ２）を特徴とし、前記第１のＰＶＯＨポリマーと前記第２のＰＶＯＨポリマーとの絶対粘度の差｜μ２−μ１｜が、０ｃＰ〜１０ｃＰの範囲である、請求項１〜１３のいずれか一項に記載の容器システム。
【請求項１５】
前記ＰＶＯＨ樹脂ブレンドが、前記水溶性フィルム中に、該フィルムの３０重量％〜９５重量％の範囲の量で存在する、請求項１〜１４のいずれか一項に記載の容器システム。
【請求項１６】
前記水溶性フィルムが、以下の特性、
ａ）溶解チャンバ試験によって測定した場合に４８重量％以下の残留率の値、
ｂ）引張強度試験によって測定した場合に少なくとも３３ＭＰａの平均引張強度の値である、及び／又は、
ｃ）弾性率試験によって測定した場合に少なくとも１２Ｎ／ｍｍ２の弾性率の値、のうちの少なくとも１つ、又は少なくとも２つ、又は３つすべてを有する、請求項１〜１５のいずれか一項に記載の容器システム。
【請求項１７】
前記水溶性フィルムが、可塑剤、可塑剤相溶化剤、潤滑剤、離型剤、充填剤、増量剤、架橋剤、アンチブロッキング剤、抗酸化剤、粘着性除去剤、消泡剤、ナノ粒子、漂白剤、界面活性剤、及びこれらの組み合わせからなる群から選択される１つ以上の成分を更に含む、請求項１〜１６のいずれか一項に記載の容器システム。
【請求項１８】
前記パウチが、少なくとも２個の区画、又は少なくとも３個の区画を有する、請求項１〜１７のいずれか一項に記載の容器システム。
【請求項１９】
前記香料が、前記香料の１５重量％〜６０重量％の、Ｑｕａｄｒａｎｔ  Ｉ香料成分、Ｑｕａｄｒａｎｔ  ＩＩ香料成分、Ｑｕａｄｒａｎｔ  ＩＩＩ香料成分、及びこれらの組み合わせから選択される非永続性香料成分を含む、請求項１〜１８のいずれか一項に記載の容器システム。
【請求項２０】
前記香料が、前記香料の２重量％〜１５重量％のＱｕａｄｒａｎｔ  Ｉ香料成分を含む、請求項１〜１９のいずれか一項に記載の容器システム。
【請求項２１】
前記香料が、
ａ）香料アコードの２重量％〜１５重量％、好ましくは３重量％〜１２重量％、より好ましくは４重量％〜１０重量％のＱｕａｄｒａｎｔ  Ｉ香料成分、
ｂ）２．５％〜２５％、好ましくは３％〜２０％、より好ましくは５％〜１５％のＱｕａｄｒａｎｔ  ＩＩ香料成分、
ｃ）１０％〜５０％、好ましくは１５％〜４５％、より好ましくは２０％〜４０％のＱｕａｄｒａｎｔ  ＩＩＩ香料成分、
ｄ）４０％〜８５％、好ましくは４５％〜７５％、より好ましくは４０％〜６５％のＱｕａｄｒａｎｔ  ＩＶ香料成分を含む、請求項１〜２０のいずれか一項に記載の容器システム。
【請求項２２】
前記香料の一部がコアシェル封入体に封入されている、請求項１〜２１のいずれか一項に記載の容器システム。
【請求項２３】
前記有機溶媒が、モノアルコール、ポリオール、グリコール、及びこれらの組み合わせからなる群から選択され、好ましくは、前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、請求項１〜２２のいずれか一項に記載の容器システム。
【請求項２４】
前記有機溶媒が、全有機溶媒の少なくとも１０重量％、又は少なくとも２０重量％の、沸点が２５０℃よりも高い有機溶媒を含み、前記香料が、全香料の少なくとも１０重量％、又は少なくとも２０重量％、又は少なくとも３０重量％の、沸点が２５０℃よりも低い香料原料を含む、請求項１〜２３のいずれか一項に記載の容器システム。
【請求項２５】
前記有機溶媒が、全有機溶媒の少なくとも５０重量％、又は少なくとも８０重量％、又は少なくとも９０重量％、又は更には少なくとも９５重量％の、ｃｌｏｇＰ値が０よりも小さい有機溶媒を含み、前記香料が、全香料の少なくとも５０重量％、又は少なくとも８０重量％、又は少なくとも９０重量％、又は更には少なくとも９５重量％の、ｃｌｏｇＰ値が０よりも大きい香料原料を含む、請求項１〜２４のいずれか一項に記載の容器システム。
【発明の詳細な説明】
【技術分野】
【０００１】
本開示は、閉鎖可能な容器と、容器の内部空間内の少なくとも１つのパウチとを含む容器システムに関し、このパウチが、ポリビニルアルコール（ＰＶＯＨ）樹脂ブレンドを含む水溶性フィルムと、香料及び有機溶媒を含有する家庭用ケア組成物とを含み、組成物が水溶性フィルムの区画内に少なくとも部分的に封入されているものである。
【背景技術】
【０００２】
水溶性パウチは、洗濯用洗剤などの家庭用ケア組成物の一体化された用量を投入するための効果的かつ普及した方法であることが実証されている。こうしたパウチは、水溶性フィルムによって形成された区画内に家庭用ケア組成物をしばしば封入することにより、消費者にとって使い勝手がよく、手が汚れない形態を提供するものである。消費者は、このような製品を使い勝手のよさ及び性能的な利点の面だけでなく、審美的な理由からも選択する可能性がある。例えば、製品は例えば衣類などの標的表面によい香りを与えることができる。
【０００３】
消費者がこのようなパウチが入った閉じた容器を開封する際、消費者に与えられる香りの好ましいブルームが知覚されることが望ましい。例えば、消費者は、どの製品を買いたいかを判断するために店舗内で異なる香りを嗅いでみたいと望む場合がある。容器を開封する際のこのような香りのブルームは、骨の折れる家事労働からの心地よい気分転換となり、家事をより楽しめるものとしうる。
【０００４】
しかしながら、これらの家庭用ケア組成物のパウチに封入された形態は、このような香りのブルームの提供を困難なものとする。パウチはポリビニルアルコールポリマーで形成された水溶性フィルムをしばしば含み、これらのフィルムは、通常、パウチの区画の内部からの成分の漏出を最小に抑えるように選択される。有機溶媒などの成分の漏出又は損失は、製品の安定性の問題、性能効果の低下、消費者による製品の品質の知覚にマイナスの影響を及ぼしうる、充填が不完全なパウチ、及び／又は互いにくっつく、又は消費者にべたつき感を与えるパウチを生じうる。
【０００５】
組成物の各成分の漏出を最小に抑えるように選択されたフィルムでは、香料の漏出も一般的に低度となる。香料の低度の漏出は、容器を開封する際に消費者が好ましい香りを体験することができないことを意味する。この問題は、従来、香料の熱溶解性ビーズを香りの代用品として容器に適用することによって対処されてきたが、そのような解決策は、更なる製造又は封入工程を要するばかりでなく、更なる化学反応を開発する必要があり、配合のコストがかかるものであった。
【発明の概要】
【発明が解決しようとする課題】
【０００６】
したがって、更なる製造工程、化学反応、又は配合のコストを伴うことなく、容器の開封時に香料の好ましいブルームが体験される、少なくとも１つのパウチを含む改良された容器システムが提供されることが求められている。
【課題を解決するための手段】
【０００７】
本開示は、パウチが内部に収容された容器を含む容器システムに関する。パウチは、香料と有機溶剤とを含む家庭用ケア組成物であって、水溶性フィルムによって区画内に少なくとも部分的に封入された家庭用ケア組成物を含む。
【０００８】
本開示は、内部空間を画定する壁を有する閉鎖可能な容器と、内部空間内の少なくとも１つのパウチであって、水溶性フィルムと、水溶性フィルムによって区画内に少なくとも部分的に封入された家庭用ケア組成物とを含むパウチと、を含む、容器システムであって、家庭用ケア組成物は、香料と有機溶媒とを含み、フィルムはポリビニルアルコール（ＰＶＯＨ）樹脂ブレンドを含み、ＰＶＯＨ樹脂ブレンドは、第１のアニオン性モノマー単位と、ビニルアルコールモノマー単位と、任意に酢酸ビニル単位と、を含む第１のＰＶＯＨポリマーを含み、ＰＶＯＨ樹脂ブレンドは、ａ）第２のアニオン性モノマー単位と、ビニルアルコールモノマー単位と、任意に酢酸ビニル単位と、を含むＰＶＯＨポリマー、又はｂ）ビニルアルコールモノマー単位と、任意に酢酸ビニル単位とからなるＰＶＯＨホモポリマーからなる群から選択される第２のＰＶＯＨポリマーを更に含む、容器システムに関する。
【図面の簡単な説明】
【０００９】
本明細書にある機構は、事実上例示的なものであり、制限的であることを意図したものではない。
【図１】可撓性の袋を示す。
【図２】可撓性のフローラップ袋を示す。
【図３】剛性の容器を示す。
【図４】剛性の容器を示す。
【図５】パウチの側断面図である。
【図６】多区画パウチを示す。
【発明を実施するための形態】
【００１０】
本開示は、少なくとも１つのパウチが内部に収容された閉鎖可能な容器を含む容器システムであって、パウチが、水溶性フィルムと、水溶性フィルムによって区画内に少なくとも部分的に封入された香料及び有機溶媒を含む家庭用ケア組成物と、を含む、容器システムに関するものである。理論によって束縛されることを望むものではないが、かかるパウチ用に特定のポリビニルアルコール樹脂ブレンドを有するフィルムを慎重に選択することにより、密封された容器を開封する際に好ましい香料のブルームを生じることができる一方で、製品の不安定性及び／又はパウチの一体性の喪失につながりうる他のパウチ成分（例えば有機溶媒）の漏出は最小に抑えるものと考えられる。詳細には、本開示のフィルムは、アニオン性モノマー単位を含む少なくとも１種類のポリビニルアルコールポリマーを含むポリビニルアルコール樹脂ブレンドに関する。
【００１１】
用語の定義
本明細書において使用する場合、特許請求の範囲で使用される場合、「ａ」及び「ａｎ」という冠詞は、特許請求又は記載されているもののうちの１つ以上を意味すると理解される。本明細書で使用するとき、用語「含む（include）」、「含む（includes）」及び「含んでいる（including）」は、非限定であることが意図される。本開示の組成物は、本開示の成分を含み、それらから本質的になり、又はそれらからなることができる。
【００１２】
本明細書では、用語「実質的に含まない（substantially free of）」又は「実質的に含まない（substantially free from）」が使用され得る。これは、指示される材料が最小限の量であり、組成物にその一部を形成するために意図的に添加されたものでないこと、又は、好ましくは分析的に検出可能な濃度で存在しないことを意味する。それは、示された材料が意図的に包含される他の材料の１つの中に不純物としてのみ存在する、組成物を包含することを意味する。示された材料は、仮に存在したとしても、組成物の１重量％未満、又は０．１重量％未満、又は０．０１重量％未満、又は更には０％の濃度で存在しうる。
【００１３】
本開示のパウチは、組成物、例えば家庭用ケア組成物を含むことができる。組成物は、液体、固体又はこれらの組み合わせから選択することができる。本明細書で使用するところの「液体」とは、自由流動する液体、並びにペースト、ゲル、泡、及びムースを含む。液体の非限定的な例としては、軽質及び重質液体洗浄剤組成物、布地改善剤、洗濯用に一般的に使われている洗剤ゲル、並びに漂白剤及び洗濯用添加剤が挙げられる。気体（例えば、懸濁気泡）又は固体（例えば、粒子）は、液体に含められる。本明細書で用いるところの「固体」には、粉末、粒塊、及びこれらの混合物が含まれる。固体の非限定的な例としては、顆粒、マイクロカプセル、ビーズ、ヌードル、及び真珠光沢ボールが挙げられる。固体組成物は、技術的効果を提供してもよく、これには、洗浄効果、前処理効果、及び／又は美的効果によるものが挙げられるが、これらに限定されない。
【００１４】
本明細書で使用するところの「ホモポリマー」なる用語には、１種類のモノマー繰り返し単位を有するポリマーが一般的に含まれる（例えば、１種類のモノマー繰り返し単位で構成された、又は本質的に構成されたポリマー鎖）。ＰＶＯＨの特定の場合では、「ホモポリマー」（又は「ＰＶＯＨホモポリマー」若しくは「ＰＶＯＨポリマー」）なる用語には、加水分解度に応じてビニルアルコールモノマー単位と酢酸ビニルモノマー単位の一定の分布を有するコポリマーが更に含まれる（例えば、ビニルアルコールモノマー単位と酢酸ビニルモノマー単位で構成された、又は本質的に構成されたポリマー鎖）。加水分解が１００％である限定的な場合では、ＰＶＯＨホモポリマーは、ビニルアルコール単位のみを有する純粋なホモポリマーを含みうる。
【００１５】
本明細書で使用するところの「コポリマー」なる用語には、２種類以上のモノマー繰り返し単位を有するポリマーが一般的に含まれる（例えば、２種類以上の異なるモノマー繰り返し単位で構成された、又は本質的に構成された、ランダムコポリマー、ブロックコポリマーなどのポリマー鎖）。ＰＶＯＨの特定の場合では、「コポリマー」（又は「ＰＶＯＨコポリマー」）なる用語には、加水分解度に応じてビニルアルコールモノマー単位と酢酸ビニルモノマー単位、更に少なくとも１種類の他のモノマー繰り返し単位の一定の分布を有するコポリマーが更に含まれる（例えば、ビニルアルコールモノマー単位、酢酸ビニルモノマー単位、及び１種類以上の他のモノマー単位、例えばアニオン性モノマー単位で構成された、又は本質的に構成された三元（又はより高次の）ポリマー鎖）。加水分解が１００％である限定的な場合では、ＰＶＯＨコポリマーは、ビニルアルコール単位と１種類以上の他のモノマー単位を有するが、酢酸ビニル単位は有さないコポリマーを含みうる。
【００１６】
本明細書で使用される場合、また、特に指定のない限り、用語「重量％（ｗｔ．％及びｗｔ％）」は、フィルム全体の「乾燥」（無水）重量部（適用できる場合）又はパウチ内に封入される全組成物の重量部（適用できる場合）中の特定された成分の組成物を指すことを目的としている。本明細書で使用される場合、また、特に指定のない限り、用語「ｐｈｒ」とは、水溶性フィルム中、水溶性ポリマー（又は樹脂；ＰＶＯＨ又はその他）１００部当たりの部で表される特定される要素の組成を指すものとする。
【００１７】
特に明記しない限り、成分又は組成物の濃度は全て、当該成分又は組成物の活性部分に関するものであり、かかる成分又は組成物の市販の供給源中に存在し得る不純物、例えば、残留溶媒又は副生成物は除外される。
【００１８】
本明細書における全ての温度は、特に断らない限り、摂氏（℃）を単位とする。特に規定がない限り、本明細書における全ての測定は、２０℃及び大気圧下で行う。
【００１９】
本開示では、全ての比率（％）は、特に記載のない限り、全組成物の重量に対するものである。別途記載のない限り、全ての比は重量比である。
【００２０】
本明細書の全体を通して記載される全ての最大数値限定は、それよりも小さい全ての数値限定を、かかるより小さい数値限定があたかも本明細書に明確に記載されているかのように包含するものと理解すべきである。本明細書全体を通して与えられる全ての最小数値限定は、それよりも高い全ての数値限定を、かかるより高い数値限定があたかも本明細書に明示的に記載されているかのように含むことになる。本明細書の全体を通して記載される全ての数値範囲は、かかるより広い数値範囲内に入るより狭い全ての数値範囲を、かかるより狭い数値範囲が全てあたかも本明細書に明確に記載されているかのように包含する。
【００２１】
容器
本開示の容器システムは、容器に関連する。本明細書に述べられる容器は閉鎖可能であり、通常は、少なくとも消費者に対して閉じられた容器として提供される。容器は、特に、容器に複数の本明細書に述べられるパウチが収容されている場合、一度開封された後で再閉鎖することができる。容器は再閉鎖式でなくともよく、特に容器に本明細書に述べられるパウチが１個だけ収容されている場合には最初の開封後に廃棄することを意図したものでもよい。
【００２２】
本開示の容器は、内部空間を画定する壁を有することができる。容器は、底壁と、１つ以上の側壁とを有することができる。１つ以上の側壁は底壁に接続されてもよく、これらの壁はともに内部空間を画定してもよい。壁の１つ以上が、部分的又は完全に、透明、半透明、又は不透明であってもよい。透明若しくは半透明の壁、又は更には透明若しくは半透明の窓を有する不透明な壁が、容器の内部のパウチを示すうえで、例えば、容器内に残っている数又は体積を示すために有用である。不透明な壁は、容器の内部でパウチが見えないことが望まれる場合に有用である。
【００２３】
内部空間は、本明細書に述べられる１つ以上のパウチを収容するのに適した任意の容積を有することができる。内部空間は、１つのパウチのみを収容するのに適した容積を有してもよい。内部空間は、約５個、又は約１０個、又は約１５個、又は約２０個、又は約３５個、又は約５５個、又は約７５個、又は約１００個の本明細書に述べられるパウチを収容するのに適した容積を有することができる。容器のサイズは、所望の数及び／又はサイズのパウチが適当に収まるように当業者が選択することができる。
【００２４】
容器は、本明細書に述べられるパウチを追加及び／又は分配するのに適した開口部を有することができる。特に容器が再密封式のものである場合、開口部は、選択的に閉鎖可能かつ／又は選択的に開封可能なものとすることができる。
【００２５】
図１〜４に示されるように、容器１０００は、本明細書に述べられるパウチ１０５０を収容するのに適した任意の容器とすることができる。容器１０００は、可撓性の袋１１００及び剛性のタブ１２００から選択することができる。
【００２６】
図１及び２に示されるように、容器１０００は可撓性の袋１１００とすることができる。適当な袋は、ポリエチレンテレフタレート、ポリエチレン、ナイロン、Ｂａｒｅｘ（商標）、Ｅｖｏｈ（商標）及びこれらの組み合わせのような製膜プラスチックなどの材料から作られてもよい。図１に示されるように、袋１１００は、縁部１１０４、１１０６において互いに接合されることでその間に内部空間１０２０を形成するパネル１１０２で形成することができる壁１０１０を有することができる。接合プロセスの非限定的な例としては、超音波溶着、自己接着、圧力封止、接着封止、及びこれらの組み合わせが挙げられる。パネル１１０２は、互いにラミネートされた層を含むことができる。袋１１００は、収容されたパウチが見えるような窓１１１２を有してもよい。袋１１００は、部分的又は完全に不透明であってもよい。可撓性の袋１１００は、一度開封された後に再密封可能なものであってもよい。一般的に、こうした袋１１００は再閉鎖式開口部１１０８を有している。再密封可能な可撓性の袋１１００のパネル１１０２は、再閉鎖式開口部１１０８の近くに選択的に係合可能とすることができる。パネル１１０２は接着剤を含んでもよく、あるいはパネル１１０２は、相補的なジッパー形状を有するジッパー１１１０を含んでもよい。ジッパー形状は、フック、雌雄部材等の形態の相互に噛み合う部材を有することができる。ジッパー１１１０は、プレスアンドシール式ジッパーであってもよく、かつ／又は、開閉を容易にするスライダーを有してもよい。可撓性の袋１１００は、取り外すことでジッパー１１１０を露出させることができる着脱式フードを有することができる。
【００２７】
容器１０００は、図２に示されるように、フローラップ袋１１２０である可撓性の袋１１００であってもよい。フローラップ袋１１２０は、一般的には例えばサンプリングに用いられる１個のパウチを封入しており、消費者がフローラップを開封する際に製品の香料を体験することを可能とする。一般的に、フローラップ袋１１２０は１回の使用を想定しており、再閉鎖手段は有していない。袋１１２０の壁１０１０は、内部空間１０２０を画定するある種のチューブで包装することができる。フローラップ袋１０２０は、壁１０１０の材料をそれ自体と接合することができる端部シール１１２２、１１２４を有してもよい。バッグ１０２０はまた、一方の端部シール１１２２から他方の端部シール１１２４にまで延びる長さシール１１２６を有してもよい。
【００２８】
図３及び４に示されるように、容器１０００は剛性のタブ１２００とすることもできる。タブは、蓋１２１２と容器本体１２０２とを有することができる。タブ１２００又はその一部は、ポリエチレンテレフタレート又は任意の適当なポリオレフィン及び／又はポリエステルなどの適当なプラスチック材料のような材料で形成することができる。タブ１２００の本体１２０２は、前壁１２０４、後壁１２０５、側壁１２０６、１２０８、及び底壁１２１０を有しており、これらの間に内部空間１０２０を形成することができる。蓋１２１２又はその一部は、ポリプロピレン、ポリエチレン、ポリスチレン、アクリロニトリルブタジエンスチレン（ＡＢＳ）、ポリエステル、ポリ塩化ビニル、ポリカーボネート、若しくはエラストマー、又はこれらの材料のブレンドなどの成形可能な熱可塑性材料で部分的に又は全体的に形成されてもよい。タブ１２００又はその一部は、例えば、射出成形、ストレッチ成形、又はブロー成形により成形することができる。蓋１２１２は閉位置から開位置へと動かすことが可能であってもよく、これによりいちど開封されたタブを再密封することができる。蓋１２１２は、ヒンジにより容器にヒンジ連結され、閉位置から開位置へ回転可能なヒンジ蓋であってもよい。蓋１２１２は、蓋１２１２を閉位置に維持することを助けるラッチなどのロック機構１２１４を含むことができる。蓋１２１２は、容器ネックのような容器の開口部付近のねじ山と選択的に係合することができるねじ山を有してもよい。ねじ付きの蓋は、蓋を開方向に回転させることにより開くことができ、蓋を、通常は開方向の逆である閉方向に回転させることによって閉じることができる。タブは、容器本体と蓋との間に移行部材すなわちカラーを含むことができる。
【００２９】
容器は、特に、容器が水感受性フィルムを含むパウチを収容することを想定している場合に、容器内への水蒸気などの水の出入りを制限することができる。開口部が閉位置にある場合、パッケージは、３５℃及び相対湿度６５％で、１日当たり、パッケージ表面１平方メートル当たり、約２．０ｇ（ｇ／日／ｍ２）未満、又は約１．０ｇ／日／ｍ２未満、又は約０．７５ｇ／日／ｍ２未満、又は約０．５０ｇ／日／ｍ２未満、又は約０．２５ｇ／日／ｍ２未満の水分蒸気透過度（ＭＶＴＲ）を有することができる。ＭＶＴＲのＭＶＴＲ測定値は、ＡＳＴＭ  Ｄ７７０９に開示される方法にしたがって決定される。水及び／又は水蒸気の出入りを制限する容器は、揮発性香料を収容するうえでも有用であり、適度な体積の香料を容器のヘッドスペース内に蓄積させることで、容器の開封時に好ましい香料のブルームを与えることができる。
【００３０】
パウチ
本明細書に述べられる容器システムは、少なくとも１つのパウチを含むことができる。パウチは水溶性フィルムを含むことができる。フィルムは、少なくとも部分的に又は完全に組成物を封入することができる区画に形成することができる。組成物は、水溶性フィルムによって少なくとも部分的に区画に封入された家庭用ケア組成物であってよい。適当なフィルム及び家庭用ケア組成物についてここで詳細に説明する。
【００３１】
パウチは一般的には少なくとも１つの密封された区画を有する。パウチは、単一の区画、又は少なくとも２個の区画若しくは少なくとも３個の区画といった複数の区画を含むことができる。図５は、水溶性パウチ１００が界面３０において封止された水溶性ポリマーフィルム１０、２０で形成されている物品を示す。フィルム１０、２０の一方又は両方は、第１のＰＶＯＨポリマーと第２のＰＶＯＨポリマーとのＰＶＯＨ樹脂ブレンドを含む。フィルム１０、２０は、水性環境中に放出するための任意の所望の組成物５０を収容する内部パウチ容器容積４０を画定している。組成物５０は特に限定されず、例えば、下記に述べる各種洗浄組成物のいずれかが含まれる。複数の区画を有する実施形態では、各区画は同じか、かつ／又は異なる組成物を収容することができる。また、組成物は、これらに限定されるものではないが、液体、固体、及びこれらの組み合わせ（例えば、液体中に懸濁された固体）などの任意の適当な形態を有することができる。パウチは、それぞれ異なる第１、第２、及び第３の組成物を収容した第１、第２、及び第３の区画を有することができる。
【００３２】
図６は、水溶性多区画パウチ１が水溶性フィルム５で形成されている物品を示す。パウチ１は３個の区画を有しており、２個のより小さい区画３、４がより大きな下部区画２に重ねて配置されている。
【００３３】
多区画パウチの区画は、同じ又は異なる大きさ及び／又は容量であってもよい。本発明の多区画パウチの区画は、分離されていてもよく、又は任意の好適な様式で接合されてもよい。第２及び／又は第３及び／又は更なる区画を、第１の区画上に重ね合わせることもできる。第３の区画を第２の区画上に重ね合わせ、次にこれを第１の区画上に挟み込む配置で重ね合わせることができる。あるいは、第２及び第３の区画が、第１の区画に重ね合わせられてもよい。しかしながら、第１の、第２の、任意に第３の、並びにそれに続く区画を、隣り合わせたもの同士互いに接着できることも同様に予想される。区画を一続きにパックして、ミシン目線により区画室をそれぞれ分離されているようにしてもよい。それゆえ例えば、区画に含まれる組成物で布地を前処理又は後処理するために、各区画がエンドユーザにより一続きの残りの部分からそれぞれ切り離されてもよい。第１の区画は、例えばタイヤとリム形態、又はパウチ・イン・パウチ形態で少なくとも第２の区画に囲まれていてもよい。
【００３４】
多区画パウチは、１つの大きい第１の区画と２つのより小さな区画とからなる３つの区画を含み得る。第２の及び第３のより小さな区画は、第１のより大きな区画上に重ね合わせられる。区画の大きさ及び形状は、この配置を達成できるように選択される。区画の形状は同じでも異なっていてもよい。第２の及び所望により第３の区画は、それぞれ第１の区画と比較して異なる形状及び外形を有することができる。第２の及び任意に第３の区画は第１の区画上のデザイン中に配置することができる。例えば、この設計は、コンセプト又は取扱の説明に役立つように装飾的、教育的、例証的であってもよく、及び／又は製品の供給元を示すために使用されてもよい。第１の区画は、全周が封止された２つの大きな面を有する最大区画であってよく、第２の区画は、それより小さく、第１の区画の１面の表面積の約７５％未満、又は約５０％未満を覆っている。第３の区画がある場合、前述の構造は同じであってもよいが、第２及び第３の区画は、第１の区画の１面の表面積の約６０％未満、又は約５０％未満、又は約４５％未満を覆っている。
【００３５】
本開示の物品、パウチ及び／又はパケットは、１つ以上の異なるフィルムを含んでもよい。例えば、パウチが１個の区画を有する場合、パウチは、２つに折り畳んで端部を封止した１つの壁から形成されてもよく、又は別の方法としては、端部をともに封止した２つの壁から形成されてもよい。パウチが複数の区画を有する場合、パウチは、任意の所定のパケット区画が、単一のフィルム、又は異なる組成を有する複数のフィルムから作製された壁を含むように１つ以上のフィルムから作製されていてもよい。多区画パウチは、上外壁、下外壁、及び仕切り壁の少なくとも３つの壁を備えることができる。上外壁及び下外壁は、一般に対向しており、パウチの外面を形成する。仕切り壁は、パウチの内部にあり、一般には対向する外壁に封止線に沿って固定されている。仕切り壁は、多区画パウチの内部を少なくとも第１の区画及び第２の区画に分離する。
【００３６】
パウチ及びパケットのような物品は、任意の好適な装置及び方法を用いて作製することができる。例えば、単一区画パウチは、一般に当該技術分野において既知の垂直形式充填技術（vertical form filling technique）、水平形式充填技術（horizontal form filling technique）、又は回転ドラム充填技術（rotary drum filling technique）を用いて製造されてもよい。そのようなプロセスは、連続的であっても断続的であってもよい。フィルムを湿らせて、及び／又は加熱して、その展性（malleability）を高めてもよい。また、方法は、フィルムを好適な成形型の中に延伸させるために真空の使用を伴ってもよい。フィルムを成形型に引き込む真空は、フィルムが表面の水平部にある時点で、約０．２〜約５秒、約０．３〜約３、又は約０．５〜約１．５秒の間適用され得る。この真空は、例えば、１ｋＰａ〜１００ｋＰａ（１０ｍｂａｒ〜１０００ｍｂａｒ）の範囲内、又は１０ｋＰａ〜６０ｋＰａ（１００ｍｂａｒ〜６００ｍｂａｒ）の範囲内の負圧を提供するようなものであり得る。
【００３７】
その中にパケットなどの物品が形成される成形型は、必要とされるパウチ寸法に応じた任意の外形、長さ、幅及び深さであってもよい。成形型はまた、望ましい場合、寸法及び形状が互いに異なっていてもよい。例えば、最終パウチの体積は、約５ｍＬ〜約３００ｍＬ、約１０〜１５０ｍＬ、又は約２０〜約１００ｍＬであってもよく、成形型の寸法はこれにしたがって調整される。
【００３８】
パウチは、第１及び第２の密封区画を有することができる。第２の密封区画及び第１の密封区画がパウチに内設された仕切り壁を共有するように、第２の区画は、第１の密封区画と概ね重ね合わせ関係とすることができる。
【００３９】
第１の区画と第２の区画とを含むことができるパウチは、第３の密封区画を更に含む。第３の密封区画及び第１の密封区画がパウチに内設された仕切り壁を共有するように、第３の密封区画は、第１の密封区画と概ね重ね合わせ関係にある。
【００４０】
第１の組成物及び第２の組成物は、以下の組み合わせ、すなわち、液体と液体、液体と粉末、粉末と粉末、及び粉末と液体の１つから選択することができる。第１、第２、及び第３の組成物は、以下の組み合わせ、すなわち、固体と液体と液体、液体と液体と液体、液体と固体と液体、固体と液体と固体、及び、固体と固体と固体の組み合わせの１つから選択することができる。
【００４１】
単一の区画又は複数の密封区画が、組成物を含むことができる。複数の区画は、それぞれ、同じ又は異なる組成物を収容してもよい。組成物は、液体、固体又はこれらの組み合わせから選択される形態でよい。組成物は、液体、固体、粉末、ビーズ、又はこれらの混合物の形態でよい。
【００４２】
組成物は、家庭用ケア組成物、例えば、軽質液体洗剤組成物、重質液体洗剤組成物、食器手洗い用又は自動食器洗い組成物を含む硬質表面洗浄組成物、洗濯に一般的に使用される洗剤ゲル、漂白組成物、洗濯用添加剤、布地改善組成物、シャンプー、ボディーウォッシュ、その他のパーソナルケア組成物、及びこれらの混合物からなる群から選択される家庭用ケア組成物であってよい。
【００４３】
パウチは、任意の適当な方法にしたがって製造することができる。例えば、方法は、本明細書に述べられる水溶性フィルムを提供する工程と、フィルムを成形して開放区画を形成する工程と、組成物を開放区画に与える工程と、開放区画を例えば第２の水溶性フィルムによって封止して組成物が内部に封入された密封区画を有するパウチを形成する工程と、を含むことができる。
【００４４】
多区画パウチの異なる区画は、隣り合った様式で一緒に形成されてもよく、その場合、得られた接合しているパウチは、切断によって分離されてもよいし、されなくてもよい。あるいは、区画を別々に作製してもよい。
【００４５】
パウチは、ａ）（上記に述べたような）第１の区画を形成する工程と、ｂ）工程（ａ）で形成された閉じた区画の一部又は全ての内部に凹所を形成して、上記の第１の区画の上に重ね合わせられる第２の成形区画を作り出す工程と、ｃ）第２の区画を充填し、第３のフィルムによって閉じる工程と、ｄ）第１、第２、及び第３のフィルムを封止する工程と、ｅ）各フィルムを切断して多区画パウチを作製する工程と、を含むプロセスにしたがって作製することができる。工程（ｂ）で形成される凹所は、工程（ａ）で調製された区画に真空を適用することによって得ることができる。
【００４６】
欧州特許出願第０８１０１４４２．５号又は国際公開特許第２００９／１５２０３１号に記載されるように、第２の区画、及び／又は第３の区画は、個別の工程で製造された後、第１の区画と組み合わせることができる。
【００４７】
パウチは、ａ）第１の形成機械上の第１のフィルムを用いて、所望により熱及び／又は真空を使用して第１の区画を生成する工程と、ｂ）第１の区画に第１の組成物を充填する工程と、ｃ）第２の形成機械上で第２のフィルムを変形させて、所望により熱及び真空を使用して第２の及び所望により第３の成形区画を製造する工程と、ｄ）第２及び任意に第３の区画を充填する工程と、ｅ）第３のフィルムを用いて第２及び任意に第３の区画を封止する工程と、ｆ）封止した第２及び任意に第３の区画を第１の区画上に配置する工程と、ｇ）第１、第２、及び任意に第３のフィルムを封止する工程と、ｈ）各フィルムを切断して多区画パウチを作製する工程と、を含むプロセスにしたがって作製することができる。
【００４８】
第１及び第２の成形機械は、上記のプロセスを実施するための適合性に基づいて選択され得る。第１の成形機械は水平成形機械であってよく、第２の成形機械は例えば第１の成形機械上に配置された回転ドラム成形機械であってよい。
【００４９】
適切な供給ステーションの使用により、多数の異なる若しくは独特の組成物、及び／又は異なる若しくは独特の液体、ゲル、又はペースト組成物を組み込む、多区画パウチが製造可能であることは理解されるであろう。
【００５０】
フィルム及び／又はパウチは、活性剤、潤滑剤、嫌悪剤、又はこれらの混合物などの適当な材料を噴霧又はまぶすことができる。フィルム及び／又はパウチにインク及び／又は活性剤で印刷することができる。
【００５１】
水溶性フィルム
本発明は、水溶性フィルムを含むパウチに関する。水溶性フィルムは、区画内に少なくとも部分的に又は完全に家庭用ケア組成物を封入することができる。本明細書に述べられるフィルムは、ポリビニルアルコール（ＰＶＯＨ）樹脂ブレンドを含む。ＰＶＯＨ樹脂ブレンドは、下記により詳しく述べるように少なくとも第１のＰＶＯＨポリマーと第２のＰＶＯＨポリマーとを含む。
【００５２】
ポリビニルアルコールポリマー
水溶性フィルムは、ポリビニルアルコール（ＰＶＯＨ）ポリマーのブレンドを含み、これらのホモポリマー（例えば、実質的にビニルアルコール及び酢酸ビニルモノマー（存在する場合）単位のみを含む）、及びこれらのコポリマー（例えば、ビニルアルコール及び任意に酢酸ビニル単位以外の１以上の他のモノマー単位を含む）を含むことができる。ＰＶＯＨは、一般的にポリ酢酸ビニルのアルコール分解（通常、加水分解又はけん化と呼ばれる）により調製される合成樹脂である。
【００５３】
パウチ（例えば、家庭ケア組成物を含むことができる）のような物品を形成するために用いられる水溶性ポリマーフィルムの一部のものは、例えば、洗濯関連組成物を含むパケット用の洗濯洗いサイクル中、水に不完全に溶解する（例えば、それにより、洗い中に洗濯物にフィルム残渣が残る）。
【００５４】
ＰＶＯＨに基づく水溶性ポリマーフィルムは、溶解特性の変化が変化しやすい場合がある。ポリ（酢酸ビニル−ｃｏ−ビニルアルコール）ポリマーは、酸又はアルカリ加水分解によって加水分解可能であることが当業者には周知である。加水分解度が高くなるにしたがって、ＰＶＯＨホモポリマー樹脂から製造されるポリマー組成物は機械的強度が増大するが、低温における溶解度が低下する（例えば、完全に溶解するには温水の温度が必要とされる）。したがって、ＰＶＯＨホモポリマー樹脂がアルカリ性環境（例えば洗濯用漂白添加剤）に曝露されると、樹脂が特定の水性環境（例えば冷水媒質）に速やかかつ完全に溶解するものから、水性環境に徐々にかつ／又は不完全に溶解するものへと変換され、これにより洗いサイクルの終わりに溶け残ったポリマー残渣が生じる可能性がある。これは、市販のＰＶＯＨホモポリマー樹脂に代表される酢酸ビニル／アルコールコポリマーのみに基づいたフィルムの使用に固有の弱点である。
【００５５】
ビニルアルコール／加水分解メチルアクリレートナトリウム塩樹脂などのペンダントカルボキシル基を有するＰＶＯＨコポリマー樹脂は、隣接するペンダントカルボキシル基とアルコール基との間にラクトン環を形成することができ、これによりＰＶＯＨコポリマー樹脂の水溶性を低下させる。洗濯用漂白添加剤のような強塩基の存在下では、ラクトン環は比較的暖かく（周囲温度）かつ高湿度の条件下で数週間かけて開環しうる（例えば、ラクトン環開環反応を介して、高い水溶性を有する対応するペンダントカルボキシル及びアルコール基を形成する）。このため、ＰＶＯＨホモポリマーフィルムで観察される効果とは異なり、保管中のフィルムとパウチ内のアルカリ性組成物との化学的相互作用により、このようなＰＶＯＨ共重合体フィルムはより可溶性が高くなるものと考えられる。したがって、パケットが古くなると、高温（名目上４０℃）の洗いサイクル中にパケットが早期に溶解しやすくなり、漂白剤の存在及びその結果生じるｐＨの影響のために特定の洗浄有効成分の効果が低下しうる。また、例えば７〜８のほぼ中性のｐＨに接触すると、ラクトン環の量が増加してフィルムがより低温の使用用途で不溶性となりうる。
【００５６】
本明細書に述べられる問題の少なくとも一部又は全ては、注意深く選択されたＰＶＯＨ樹脂ブレンドを有するフィルムを含むパウチを提供することによって解決することができる。本開示は、ポリビニルアルコール（ＰＶＯＨ）樹脂ブレンドと、任意に、可塑剤、充填剤、界面活性剤、及び下記により詳しく述べるような他の添加剤などの１種類以上の追加成分とを含む水溶性フィルムからなるパウチに関する。
【００５７】
実質上、全てのアセテート基がアルコール基に変換された、完全に加水分解されたＰＶＯＨは、強く水素結合した、高結晶性ポリマーであり、約６０℃（１４０°Ｆ）よりも高い温度の温水にのみ溶解する。ポリ酢酸ビニルの加水分解後に充分な数のアセテート基が残存している場合、ＰＶＯＨポリマーは部分加水分解物として知られ、こうしたＰＶＯＨポリマーは、より弱く水素結合された低結晶性であり、約１０℃（５０°Ｆ）より低い冷水中に溶解する。中間の冷水又は熱水可溶性フィルムは、例えば中程度の部分加水分解ＰＶＯＨ（例えば、約９４％〜約９８％の加水分解度）を含むことができ、温水中にのみ容易に溶解する（例えば約４０℃以上の温度で速やかに溶解する）。完全及び部分加水分解されたＰＶＯＨのタイプはいずれも、ＰＶＯＨホモポリマーと一般的に呼ばれているが、部分加水分解されたタイプは厳密に言えば、ビニルアルコール／酢酸ビニルコポリマーである。
【００５８】
本開示の水溶性フィルムに含まれるＰＶＯＨポリマーの加水分解度（ＤＨ）は、約７５％〜約９９％の範囲でありうる（冷水可溶性組成物の場合のような、例えば約７９％〜約９２％、約８６．５％〜約８９％、又は約８８％；約９０％〜約９９％、約９２％〜約９９％、又は約９５％〜約９９％）。加水分解度が低くなるにしたがって、樹脂で形成されたフィルムは、機械的強度が低くなるが、約２０℃よりも低い温度での溶解度はより速やかとなる。加水分解度が高くなるにしたがって、ポリマーで作製されたフィルムは機械的に強くなり、特により低い洗い温度での熱成形性及び／又は溶解性が低下する傾向にある。
【００５９】
ＰＶＯＨの加水分解度は、ポリマーの水溶性が温度依存性を有し、それにより、ポリマー、任意の相溶化剤ポリマー、及び追加成分から作製されたフィルムの溶解度にも影響するように選択することができる。１つの選択肢では、フィルムは冷水可溶性である。１０℃未満の温度で水に可溶である冷水可溶性フィルムは、約７５％〜約９０％の範囲、又は約８０％〜約９０％の範囲、又は約８５％〜約９０％の範囲の加水分解度を有するＰＶＯＨを含むことができる。別の選択肢では、フィルムは温水可溶性である。少なくとも約６０℃の温度の水に可溶である温水可溶性フィルムは、少なくとも約９８％の加水分解度を有するＰＶＯＨを含むことができる。
【００６０】
水溶性ポリマー（例えば、ＰＶＯＨ樹脂ブレンド単独で、又は他の水溶性ポリマーと組み合わせて）は、約３０重量％、又は約４０重量％、又は約５０重量％、又は約６０重量％〜、かつ／又は約７０重量％、又は約８０重量％、又は約９０重量％、又は約９５重量％以下の範囲の量でフィルム中に含まれうる。例えば、当該ＰＶＯＨ樹脂ブレンドは、フィルムの重量に対して、約３０重量％、又は約４０重量％、約５０重量％、約６０重量％、かつ／又は約７０重量％、又は約８０重量％、又は約９０重量％、又は約９５重量％以下の範囲の量で水溶性フィルム中に存在してもよい。
【００６１】
水溶性フィルムは、少なくとも約５０重量％、５５重量％、６０重量％、６５重量％、７０重量％、７５重量％、８０重量％、８５重量％、又は９０重量％、かつ／又は６０重量％、７０重量％、８０重量％、９０重量％、９５重量％、又は９９重量％以下のＰＶＯＨ樹脂ブレンドを含むことができる。好ましくは、樹脂ブレンドは、フィルム中に約５０％〜約８０％、より好ましくは約６０％〜約７５％存在する。
【００６２】
第１のＰＶＯＨポリマーは、水溶性フィルム中に、フィルム中の全ＰＶＯＨポリマーの約１０重量％〜約９０重量％、又は約１０重量％〜約７０重量％、又は約１０重量％〜約６５重量％、又は約１０重量％〜約６０重量％、又は約２０重量％〜約５０重量％、又は約３０重量％〜約４０重量％の量で存在することができる（すなわち、ＰＶＯＨ樹脂ブレンドの重量に対して）。例えば、第１のＰＶＯＨポリマーは、フィルム中の全ＰＶＯＨポリマーの少なくとも約１０重量％、２０重量％、３０重量％、４０重量％、５０重量％、６０重量％、かつ／又は約９０重量％、８０重量％、７０重量％、６０重量％、５０重量％、４０重量％、３０重量％、２０重量％、又は１０重量％の量で存在してもよい。第１のＰＶＯＨポリマーの上記の濃度は、上記に代えて又は上記に加えてフィルム中の全水溶性ポリマー、ＰＶＯＨ、又は他の成分に対するものとすることができる。
【００６３】
第２のＰＶＯＨポリマーは、フィルム中の全ＰＶＯＨポリマーの約１０重量％〜約９０重量％、又は約３０重量％〜約９０重量％、又は約４０重量％〜約９０重量％、又は約５０重量％〜約８０重量％、又は約６０重量％〜約７０重量％の量で存在することができる（すなわち、ＰＶＯＨ樹脂ブレンドの重量に対して）。例えば、第２のＰＶＯＨポリマーは、フィルム中の全ＰＶＯＨポリマーの少なくとも約１０重量％、２０重量％、３０重量％、４０重量％、５０重量％、６０重量％、かつ／又は約９０重量％、８０重量％、７０重量％、６５重量％、６０重量％、５０重量％、又は４０重量％の量で存在してもよい。第２のＰＶＯＨポリマーの上記の濃度は、上記に代えて又は上記に加えてフィルム中の全水溶性ポリマー、ＰＶＯＨ、又は他の成分に対するものとすることができる。
【００６４】
水溶性ポリマー（例えば、ＰＶＯＨ樹脂ブレンド単独で、又は他の水溶性ポリマーと組み合わせて）は、約３０重量％又は５０重量％〜約９０重量％又は９５重量％の範囲の量でフィルム中に含まれうる。
【００６５】
水、相溶化剤、及び二次添加剤を含む全ての可塑剤の合計量に対する全水溶性ポリマーの量の重量比は、例えば、約０．５〜約１８、約０．５〜約１５、約０．５〜約９、約０．５〜約５、約１〜３、又は約１〜２の範囲とすることができる。この比は、好ましくは約１〜約３、より好ましくは約１．３〜約２．５である。可塑剤及び他の非ポリマー成分の具体的な量は、所望の機械的フィルム特性を考慮してフィルムの可撓性を調節し、加工性を付与することを目的とした水溶性フィルムの使用に基づいて特定の実施形態において選択することができる。
【００６６】
下記により詳細に述べるように、ＰＶＯＨポリマーは、その粘度（その値は、ポリマーの分子量に一般的に相関している）を特徴とすることができる。ポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを備えたＢｒｏｏｋｆｉｅｌｄ  ＬＶ型粘度計を使用して、新たに調製した溶液を測定することにより決定される。２０℃での４％水性ポリビニルアルコール溶液の粘度を記載することが国際的な慣行である。本明細書でｃＰで記載されているポリマー粘度は、特に断らない限り、２０℃での４％水溶性ポリマー水溶液の粘度を指すものとして理解すべきである。参考として、第１のＰＶＯＨポリマーは、２０℃での第１の４％溶液粘度（μ１）を有するものとして示すことができ、第２のＰＶＯＨポリマーは、２０℃での第２の４％溶液粘度（μ２）を有するものとして示すことができる。
【００６７】
第１のＰＶＯＨポリマーは、約１０ｃＰ〜約４０ｃＰ、又は約１０ｃＰ〜約３０ｃＰ、又は約１２ｃＰ〜約２５ｃＰ、又は約１４ｃＰ〜約２０ｃＰの２０℃での４％溶液粘度（μ１）を特徴とする。第１の粘度μ１は、約４ｃＰ〜約２４ｃＰ（例えば、少なくとも約４、８、１０又は１２ｃＰ及び／又は約１２、１６、２０、又は２４ｃＰ以下、例えば約１０ｃＰ〜約１６ｃＰ、又は約１０ｃＰ〜約２０ｃＰ）の範囲とすることができる。第２のＰＶＯＨポリマーは、約１０ｃＰ〜約４０ｃＰ、又は約１０ｃＰ〜約３０ｃＰ、又は約１２ｃＰ〜約２５ｃＰの２０℃での４％溶液粘度（μ２）を特徴とする。第２の粘度μ２は、約４ｃＰ〜約２４ｃＰ（例えば少なくとも約４、８、１０又は１２ｃＰかつ／又は約１２、１６、２０、又は２４ｃＰ以下、例えば約１０ｃＰ〜約１６ｃＰ又は約１０ｃＰ〜約２０ｃＰ）の範囲とすることができる。第２のＰＶＯＨポリマーは、約２０ｃＰ以下（例えば少なくとも約４、８、１０、又は１２ｃＰかつ／又は約１２、１６、又は２０ｃＰ以下）の第２の２０℃での４％溶液粘度（μ２）を有することができる。第１のＰＶＯＨポリマーと第２のＰＶＯＨポリマーとの絶対粘度の差｜μ２−μ１｜は、０ｃＰ〜約１０ｃＰ、好ましくは約２ｃＰ〜約８ｃＰの範囲、又は少なくとも約０、０．５、１、又は２ｃＰかつ／又は、約１、２、５、又は１０ｃＰ以下、例えば約０ｃＰ〜約５ｃＰ、又は約０ｃＰ〜約２ｃＰとすることができる。
【００６８】
水溶性ポリマー（ＰＶＯＨ又はその他）の粘度は、同じポリマーの重量平均分子量（Ｍｗ）と相関しており、しばしば粘度が（Ｍｗ）の代替値として用いられることは当該技術分野では周知である。したがって、第１のＰＶＯＨポリマー及び第２のＰＶＯＨポリマーを含む水溶性ポリマーの重量平均分子量は、例えば約３０，０００〜約１７５，０００、又は約３０，０００〜約１００，０００、又は約５５，０００〜約８５，０００の範囲とすることができる。
【００６９】
ＰＶＯＨ樹脂ブレンドは、第１のＰＶＯＨポリマー及び第２のＰＶＯＨポリマーで本質的に構成することができる。
【００７０】
ＰＶＯＨ樹脂ブレンドが、ＰＶＯＨポリマー及びＰＶＯＨコポリマー樹脂から選択される３種類以上のＰＶＯＨ樹脂を含む場合、上記の粘度の値は、各ＰＶＯＨポリマー又はＰＶＯＨコポリマーに個々に適用することができ、上記の粘度の差は、ＰＶＯＨ樹脂ブレンド及び得られる水溶性フィルム中の各ＰＶＯＨポリマー／ＰＶＯＨコポリマーのペアに適用することができる。
【００７１】
上記に述べたように、ＰＶＯＨポリマーは、加水分解度を特徴とすることができる。第１のＰＶＯＨポリマーは、６０％〜約９９％、好ましくは約８０％〜約９８％、好ましくは約８５％〜約９５％、好ましくは約８７％〜約９２％の加水分解度を特徴とする。第２のＰＶＯＨポリマーは、約６０％〜約９９％、好ましくは約８０％〜約９８％、好ましくは約８５％〜約９５％、好ましくは約８７％〜約９２％の加水分解度を特徴とする。
【００７２】
水溶性フィルムは、溶解チャンバ試験によって測定した場合に約４８重量％以下の残渣率の値を有することができる。水溶性フィルムは、引張強さ試験によって測定した場合に少なくとも約３３ＭＰａの平均引張強さの値を有することができる。水溶性フィルムは、弾性率試験によって測定した場合に少なくとも約１２Ｎ／ｍｍ２の弾性率の値を有することができる。それぞれの試験方法は本明細書に示される。
【００７３】
第１及び第２のＰＶＯＨポリマーの特定の化学的性質について以下により詳細に述べる。
【００７４】
ａ．第１のＰＶＯＨポリマー
本明細書に述べられるＰＶＯＨ樹脂ブレンドは、第１のＰＶＯＨポリマーを含むことができる。第１のＰＶＯＨポリマーは、第１のアニオン性モノマー単位を含むことができる。第１のＰＶＯＨポリマーは、ビニルアルコールモノマー単位、酢酸ビニルモノマー単位（完全に加水分解されていない場合）、及び１種類のアニオン性モノマー単位を含むＰＶＯＨターポリマーであってよい（例えば、１種類のアニオン性モノマー単位は、これに相当する酸、塩基、及び任意にアニオン性モノマー単位の残留エステルを含みうる）。ＰＶＯＨコポリマーは、２種類以上のアニオン性モノマー単位を含むことができる。
【００７５】
第１のアニオン性モノマー単位は、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記の塩、好ましくは上記のアルカリ金属塩、上記のエステル、及びこれらの組み合わせからなる群のメンバーに由来することができる。
【００７６】
第１のＰＶＯＨポリマー中のアニオン性モノマー単位は、カルボキシル化アニオン性モノマー単位であってもよい。本明細書で使用するところの「カルボキシル化アニオン性モノマー単位」には、モノカルボン酸ビニルモノマーに対応するビニル重合単位、これらのエステル及び無水物、重合性二重結合を有するジカルボキシルモノマー、これらのエステル及び無水物、並びに上記のいずれかの塩、好ましくはアルカリ金属塩が含まれる。
【００７７】
適当なカルボキシル化アニオン性モノマー単位の例としては、ビニルアニオン性モノマーに対応するビニル重合単位が挙げられ、このビニルアニオン性モノマーには、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、上記のアルカリ金属塩（例えば、ナトリウム塩、カリウム塩、又は他のアルカリ金属塩）、上記のエステル（例えば、メチル、エチル、又は他のＣ１〜Ｃ４又はＣ６アルキルエステル）、及びこれらの組み合わせ（例えば、複数の種類のアニオン性モノマー、又は同じアニオン性モノマーの同等物）が挙げられる。カルボキシル化アニオン性モノマー単位は、マレイン酸、マレイン酸モノアルキル、マレイン酸ジアルキル、無水マレイン酸、及びこれらの組み合わせから誘導することができる。カルボキシル化アニオン性モノマー単位は、マレイン酸モノアルキルモノマー単位から誘導することもできる。マレイン酸モノアルキルモノマー単位は、マレイン酸モノメチル、そのアルカリ金属塩（例えば、ナトリウム塩）、及びこれらの組み合わせからなる群のメンバーに由来することもできる。
【００７８】
１種類以上のアニオン性モノマー単位は、第１のＰＶＯＨポリマー中に所定量、含まれるか又は存在してよい。一般的には、アニオン性モノマーの含有量が増加するのにしたがい、ＰＶＯＨポリマー樹脂、樹脂ブレンド、及び／又はこのような樹脂又は樹脂ブレンドから製造されるフィルムの溶解度は高くなる。アニオン性モノマー含有量が高いＰＶＯＨポリマーを含むフィルムは、比較的高い粘着性も有し、より高いシール性を示しうる。しかしながら、相対的な粘着性が高すぎる水溶性フィルムは、粘着フィルムをパウチに変換することが困難であるため、望ましくない場合もある。
【００７９】
アニオン性モノマー単位の量は、ＰＶＯＨポリマー中のアニオン性モノマー単位のモル含有量（例えば、モル％として表される）を特徴とすることができる。１種類以上のアニオン性モノマー単位は、第１のＰＶＯＨポリマー中に、個々に又は合わせて、約１モル％〜約５モル％、又は約２モル％〜約４モル％、又は約２モル％〜約５モル％、又は約３モル％〜約５モル％、又は約３．５モル％〜約４．５モル％、又は約４モル％〜約４．５モル％の範囲の量で存在してよい。１種類以上のアニオン性モノマー単位は、第１のＰＶＯＨポリマー中に約１モル％〜約４モル％、又は約１モル％〜約３モル％の範囲の量で存在してよい。アニオン性モノマー単位は、少なくとも約１．０、１．５、２．０、２．５、３．０、３．５、４．０モル％、かつ／又は約６．０、５．５、５．０、４．５、４．０、３．５、３．０、又は２．５モル％以下の量で第１のＰＶＯＨポリマー中に存在してよい。
【００８０】
これに代えるか又はこれに加えて、アニオン性モノマー単位は、例えば、フィルム中のＰＶＯＨポリマーの総量（例えば、ＰＶＯＨ樹脂ブレンド中のホモポリマーとコポリマーを含むＰＶＯＨポリマーの合計）に対するアニオン性モノマー単位のモル含有量（モル％）として、ＰＶＯＨフィルム中に存在するアニオン性モノマー単位を特徴とすることができる。アニオン性モノマー単位は、水溶性フィルム中に、フィルム中の全ＰＶＯＨポリマーの約０．５モル％〜約５モル％の範囲の量で存在してよい。アニオン性モノマー単位は、フィルム中の全ＰＶＯＨポリマーの少なくとも約０．５、０．７５、１．０、又は１．２モル％、かつ／又は約５．０、４．５、４．０、３．０、２．５、２．０、又は１．７モル％以下の量でフィルム中に存在してよい。例えば、（カルボキシル化）アニオン性モノマー単位を含む第１のＰＶＯＨポリマーは、ホモポリマーのような第２のＰＶＯＨポリマーと、約３０重量％／７０重量％ブレンド〜約７０重量％／３０重量％ブレンドでブレンドすることにより、全ＰＶＯＨポリマーの約０．５モル％〜約３モル％の平均ブレンドアニオン性モノマー単位含有量を得ることができる。これに代えるか又はこれに加えて、上記のアニオン性モノマー単位含有量は、フィルム、ＰＶＯＨ、又はその他の全水溶性ポリマー含有量に対して適用することもできる。
【００８１】
第１のＰＶＯＨポリマーは、フィルム中に全ＰＶＯＨポリマーの約１０重量％〜約９０重量％、又は全ＰＶＯＨポリマーの約１０重量％〜約６５重量％の範囲で存在することができる。
【００８２】
ｂ．第２のＰＶＯＨポリマー
本明細書に述べられるＰＶＯＨ樹脂ブレンドは、第２のＰＶＯＨポリマーを含むことができる。第２のＰＶＯＨポリマーは、（ａ）第２のアニオン性モノマー単位、ビニルアルコールモノマー単位、及び任意に酢酸ビニル単位を含むＰＶＯＨポリマーと、（ｂ）ビニルアルコールモノマー単位、及び任意に酢酸ビニル単位からなるＰＶＯＨホモポリマーとから選択される。
【００８３】
第２のＰＶＯＨポリマーは、第２のアニオン性モノマー単位を含むＰＶＯＨポリマーであってもよい。第２のアニオン性単位は、第１のアニオン性モノマー単位と異なってもよく、これらは同じでもよい。第１のアニオン性モノマー単位と第２のアニオン性モノマー単位とが同じである場合、第１のＰＶＯＨポリマーと第２のＰＶＯＨポリマーとは、例えばそれぞれの粘度の点で、又はアニオン性モノマー単位のそれぞれの含有度の点で異なる。
【００８４】
第２のアニオン性モノマー単位は、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記のアルカリ金属塩、上記のエステル、及びこれらの組み合わせからなる群から選択することができる。第２のアニオン性モノマー単位は、アクリルアミドメチルプロパンスルホン酸、そのアルカリ金属塩、及びこれらの組み合わせからなる群から選択されてもよい。第１のＰＶＯＨポリマー中の第１のアニオン性モノマー単位は、マレイン酸モノメチル、そのアルカリ金属塩、及びこれらの組み合わせからなる群から選択することができ、第２のＰＶＯＨポリマー中の第２のモノマー単位は、アクリルアミドメチルプロパンスルホン酸、そのアルカリ金属塩及びこれらの組み合わせから選択することができる。第１のＰＶＯＨポリマーは、ＰＶＯＨブレンド中に、ブレンド中の全ＰＶＯＨポリマーの約５０重量％〜約９０重量％、好ましくは約７０重量％〜約９０重量％の範囲で存在してよく、ただし、第１のアニオン性モノマー単位は、マレイン酸モノメチル、そのアルカリ金属塩、及びこれらの組み合わせからなる群から選択されるメンバーに由来し、第２のＰＶＯＨポリマーは、ＰＶＯＨブレンド中に、ブレンド中の全ＰＶＯＨポリマーの約１０重量％〜約５０重量％、好ましくは約１０重量％〜約３０重量％の範囲で存在し、ただし、第２のモノマー単位は、アクリルアミドメチルプロパンスルホン酸、そのアルカリ金属塩、及びこれらの組み合わせからなる群から選択されるメンバーに由来する。
【００８５】
第２のアニオン性モノマー単位は、第２のＰＶＯＨポリマー中に第２のＰＶＯＨポリマーの約１．０モル％〜約５．０モル％の範囲の量で存在することができる。第２のアニオン性モノマー単位は、フィルム中に、フィルム中の全ＰＶＯＨポリマーの約０．２モル％〜約５．０モル％、又は約０．５モル％〜約４．５モル％、又は約１モル％〜約３モル％の範囲の量で存在する。
【００８６】
第１のＰＶＯＨポリマーは、第１のアニオン性モノマー単位の第１の含有度（ａ１）を有することができ、第２のＰＶＯＨポリマーは、第２のアニオン性モノマー単位の第２の含有度（ａ２）を有してよい。第１のアニオン性モノマー単位と第２のアニオン性モノマー単位とが同じである場合、｜ａ１−ａ２｜の絶対値は０よりも大きくなりうる。（ａ１−ａ２）の値は０より大きくてよい。ａ１は、第１のＰＶＯＨポリマーの約１モル％〜約５モル％、好ましくは約１モル％〜約３モル％の範囲であってよく、ａ２は、第２のＰＶＯＨポリマーの約１モル％〜約５モル％、好ましくは約１モル％〜約３モル％の範囲であってよく、｜ａ１−ａ２｜、好ましくはａ１−ａ２は、約０ｍｏ．％〜約３モル％、又は約１モル％〜約３モル％の範囲であってよい。
【００８７】
第１のアニオン性モノマー単位と第２のアニオン性モノマー単位とは、フィルム中の全ＰＶＯＨポリマーの約２．０モル％〜約３．５モル％の範囲の合計量でともに存在してもよい。
【００８８】
第２のＰＶＯＨポリマーは、ビニルアルコールモノマー単位と任意に酢酸ビニルモノマー単位とから本質的に構成されるＰＶＯＨホモポリマーであってもよい。
【００８９】
第２のＰＶＯＨポリマーは、２０℃での４％溶液粘度（μ２）が、約３．０ｃＰ〜約４０ｃＰ、又は約７ｃＰ〜約４０ｃＰ、又は約１０ｃＰ〜約４０ｃＰ、又は約１０ｃＰ〜約３０ｃＰ、又は約１２ｃＰ〜約２５ｃＰであることを特徴とすることができる。第１のＰＶＯＨポリマーは、第１の２０℃での４％溶液粘度（μ１）を特徴とすることができ、第２のＰＶＯＨポリマーは、第２の２０℃での４％溶液粘度（μ２）を特徴とすることができ、第１のＰＶＯＨポリマーと第２のＰＶＯＨポリマーとの絶対粘度の差｜μ２−μ１｜は、０ｃＰ〜約１０ｃＰ、好ましくは２ｃＰ〜８ｃＰの範囲とすることができる。
【００９０】
第２のＰＶＯＨポリマーは、約６０％〜約９９％、好ましくは約８０％〜約９８％、好ましくは約８３％〜約９５％、好ましくは約８５％〜約９２％の加水分解度を特徴とすることができる。
【００９１】
第２のＰＶＯＨポリマーは、フィルム中に全ＰＶＯＨポリマーの約１０重量％〜約９０重量％、好ましくは約３０重量％〜約８０重量％、より好ましくは５０重量％〜７０重量％の範囲の量で存在することができる。
【００９２】
第１のＰＶＯＨポリマーは、ＰＶＯＨブレンド中に、ブレンド中の全ＰＶＯＨポリマーの約２０重量％〜約６０重量％、好ましくは約３０重量％〜約４０重量％の範囲で存在してよく、ただし、第１のＰＶＯＨポリマーの第１のアニオン性モノマー単位は、マレイン酸モノメチル、そのアルカリ金属塩、及びこれらの組み合わせからなる群から選択されるメンバーに由来し、第２のＰＶＯＨポリマーは、２０℃での４％溶液粘度（μ２）が約１０ｃＰ〜約３０ｃＰであることを特徴とし、かつＰＶＯＨ樹脂ブレンド中に、ブレンド中の全ＰＶＯＨポリマーの約４０重量％〜約８０重量％、好ましくは約６０重量％〜約７０重量％の範囲で存在する。
【００９３】
他のフィルム成分／特性
上記に述べたポリビニルアルコール系重合体以外に、本開示の水溶性フィルムは他の成分を含むことができる。
【００９４】
本開示のフィルムは、他の水溶性ポリマーを含むことができる。ブレンド中でＰＶＯＨポリマー及びＰＶＯＨコポリマー以外に使用される他の水溶性ポリマーとしては、これらに限定されるものではないが、変性ポリビニルアルコール、ポリアクリレート、水溶性アクリレートコポリマー、ポリビニルピロリドン、ポリエチレンイミン、プルラン；グアーガム、アカシアガム、キサンタンガム、カラギーナン、及びデンプンを含むがこれらに限定されない水溶性天然ポリマー；化工デンプン、エトキシ化デンプン、及びヒドロキシプロピル化デンプンを含むがこれらに限定されない水溶性ポリマー誘導体；上記のコポリマー、並びに上記の任意のものの組み合わせが挙げられる。更に他の水溶性ポリマーとしては、ポリアルキレンオキシド、ポリアクリルアミド、ポリアクリル酸及びその塩、セルロース、セルロースエーテル、セルロースエステル、セルロースアミド、ポリビニル酢酸、ポリカルボン酸及びその塩、ポリアミノ酸、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、及びポリメタクリレートが挙げられる。これらの水溶性ポリマーは、ＰＶＯＨ又はその他のものであるかによらず、様々な供給元より市販されている。上記の水溶性ポリマーのいずれも、フィルム形成ポリマーとしての使用に一般的に適している。一般に、水溶性フィルムは、上記樹脂のコポリマー及び／又はブレンドを含むことができる。
【００９５】
本明細書に述べられるフィルムに使用するための水溶性ポリマー（ＰＶＯＨポリマー及びＰＶＯＨコポリマーを含むがそれらに限定されない）は、例えば、約３．０〜約２７．０ｃＰ、約４．０〜約２４．０ｃＰ、約４．０〜約２３．０ｃＰ、約４．０ｃＰ〜約１５ｃＰ、又は約６．０〜約１０．０ｃＰの範囲の粘度を特徴とすることができる。ポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを備えたＢｒｏｏｋｆｉｅｌｄ  ＬＶ型粘度計を使用して、新たに調製した溶液を測定することにより決定される。２０℃での４％水性ポリビニルアルコール溶液の粘度を記載することが国際的な慣行である。本明細書でｃＰで記載されているポリマー粘度は、特に断らない限り、２０℃での４％水溶性ポリマー水溶液の粘度を指すものとして理解すべきである。
【００９６】
水溶性ポリマー（ＰＶＯＨ又はその他）の粘度は、同じポリマーの重量平均分子量
【００９７】
【数１】
2019513641.tif 000003
と相関しており、しばしば粘度が
【００９８】
【数２】
2019513641.tif 000004
の代用値として用いられることは当該技術分野では周知である。したがって、第１のＰＶＯＨコポリマー及び第２のＰＶＯＨポリマーを含む水溶性ポリマーの重量平均分子量は、例えば約３０，０００〜約１７５，０００、又は約３０，０００〜約１００，０００、又は約５５，０００〜約８５，０００の範囲とすることができる。
【００９９】
水溶性フィルムは、他の補助剤及び加工助剤、例えば、これらに限定されるものではないが、可塑剤、可塑相溶剤、界面活性剤、潤滑剤、離型剤、充填剤、増量剤、架橋剤、ブロッキング防止剤、酸化防止剤、粘着性除去剤、消泡剤、層状ケイ酸塩型ナノクレイ（例えば、モンモリロナイトナトリウム）などのナノ粒子、漂白剤（例えば、メタ重亜硫酸ナトリウム、重亜硫酸ナトリウムなど）、苦味剤などの嫌悪剤（例えばデナトニウムベンゾエート、デナトニウムサッカライド、及びデナトニウムクロリドなどのデナトニウム塩；オクタアセチルスクロース；キニン；ケルセチン及びナリンギンなどのフラボノイド；並びにクァシン及びブルシンなどのクアシノイド）、及び刺激剤（例えば、カプサイシン、ピペリン、アリルイソチオシアネート、及びレシニフェラトキシンなど）、並びにその他の機能性成分をこれらの目的に適した量で含有することができる。可塑剤を含むフィルムが有益である。このような剤の量は、個々に、又は合わせて、約５０重量％、２０重量％、１５重量％、１０重量％、５重量％、４重量％以下、かつ／又は少なくとも０．０１重量％、０．１重量％、１重量％、又は５重量％とすることができる。好ましくは、フィルム中のこれらの補助剤及び加工助剤の総量は、約２０％〜約５０％、より好ましくは約２５％〜約４０％である。
【０１００】
可塑剤としては、グリセリン、ジグリセリン、ソルビトール、エチレングリコール、ジエチレングリコール、トリエチレングリコール、ジプロピレングリコール、テトラエチレングリコール、プロピレングリコール、４００ＭＷ以下のポリエチレングリコール、ネオペンチルグリコール、トリメチロールプロパン、ポリエーテルポリオール、ソルビトール、２−メチル−１，３−プロパンジオール、エタノールアミン、及びこれらの混合物が挙げられるが、これらに限定されない。好ましい可塑剤は、グリセリン、ソルビトール、トリエチレングリコール、プロピレングリコール、ジプロピレングリコール、２−メチル−１，３−プロパンジオール、トリメチロールプロパン、又はこれらの組み合わせである。可塑剤の総量は、フィルム総重量に対して、約１重量％〜約４０重量％、又は１０重量％〜約４０重量％、又は約１５重量％〜約３５重量％、又は約２０重量％〜約３０重量％の範囲、例えば約２５重量％であってもよい。グリセリン、ジプロピレングリコール、及びソルビトールを組み合わせて使用してもよい。また、グリセリン、トリメチロールプロパン、及びソルビトールの組み合わせを用いることもできる。任意に、グリセリンは、約５重量％〜約３０重量％、又は５重量％〜約２０重量％、例えば、約１３重量％の量で使用することができる。任意に、ジプロピレングリコール又はトリメチロールプロパンは、約１重量％〜約２０重量％、又は約３重量％〜約１０重量％、例えば、６重量％の量で使用することができる。任意に、ソルビトールは、約１重量％〜約２０重量％、又は約２重量％〜約１０重量％、例えば約５重量％の量で用いることができる。特定の量の可塑剤を、特定の実施形態において水溶性フィルムの所望のフィルム可撓性及び加工性の特徴に基づいて選択することができる。可塑剤が低濃度であると、フィルムが脆くなり、加工が難しく、又は破断しやすくなる可能性がある。可塑剤が高濃度であると、フィルムが軟らかくなりすぎるか、弱くなりすぎるか、又は所望の用途に合わせて加工することが困難となりうる。
【０１０１】
好適な界面活性剤としては、非イオン性、カチオン性、アニオン性及び双極性の部類を挙げることができる。好適な界面活性剤としては、ポリオキシエチレン化ポリオキシプロピレングリコール、アルコールエトキシレート、アルキルフェノールエトキシレート、第三級アセチレングリコール及びアルカノールアミド（非イオン性物質）、ポリオキシエチレン化アミン、第四級アンモニウム塩、及び四級化されたポリオキシエチレン化アミン（カチオン性物質）、及びアミンオキシド、Ｎ−アルキルベタイン及びスルホベタイン（双極性物質）が挙げられるが、これらに限定されない。他の適当な界面活性剤としては、スルホコハク酸ジオクチルナトリウム、グリセロールとプロピレングリコールとのラクチル化脂肪酸エステル、脂肪酸のラクチルエステル、アルキル硫酸ナトリウム、ポリソルベート２０、ポリソルベート６０、ポリソルベート６５、ポリソルベート８０、レシチン、グリセロールとプロピレングリコールとのアセチル化脂肪酸エステル、及び、脂肪酸のアセチル化エステル、及びこれらの組み合わせが挙げられる。水溶性フィルム中の界面活性剤の量は、約０．１重量％〜２．５重量％、任意に約１．０重量％〜２．０重量％の範囲とすることができる。
【０１０２】
好適な潤滑剤／離型剤としては、脂肪酸類及びこれらの塩類、脂肪族アルコール類、脂肪酸エステル類、脂肪族アミン類、脂肪族アミンアセテート類及び脂肪酸アミド類が挙げられるが、これらに限定されない。好ましい潤滑剤／離型剤は、脂肪酸類、脂肪酸塩、及び脂肪族アミンアセテート類である。水溶性フィルム中の潤滑剤／離型剤の量は、約０．０２重量％〜約１．５重量％、任意に約０．１重量％〜約１重量％の範囲とすることができる。
【０１０３】
フィルムは、苦味剤などの嫌悪剤、例えばデナトニウムベンゾエート及び／又はその誘導体を含むことができる。嫌悪剤は、フィルムの製造に先立って（例えばフィルムをキャスティング又は押出成形する前に）ポリマー材料及び／又は他の補助剤と混合することができる。これに加えるか又はこれに代えて、嫌悪剤を、例えば、ダスティング、印刷、噴霧又は、他のコーティングによって付与することにより、形成後のフィルム又はパウチに付加することができる。
【０１０４】
好適な充填剤／増量剤／ブロッキング防止剤／粘着性除去剤としては、デンプン、変性デンプン、架橋ポリビニルピロリドン、架橋セルロース、微結晶セルロース、シリカ、金属酸化物、炭酸カルシウム、タルク及び雲母が挙げられるが、これらに限定されない。好ましい材料は、デンプン、変性デンプン及びシリカである。水溶性フィルム中の充填剤／増量剤／ブロッキング防止剤／粘着性除去剤の量は、約０．１重量％〜約２５重量％、又は約１重量％〜約１０重量％、又は約２重量％〜約８重量％、又は約３重量％〜約５重量％の範囲とすることができる。デンプンが存在しない場合、好適な充填剤／増量剤／ブロッキング防止剤／粘着性除去剤の１つの好ましい範囲は、約０．１重量％又は約１重量％〜約４重量％又は６重量％、約１重量％〜約４重量％、又は約１重量％〜約２．５重量％である。
【０１０５】
水溶性フィルムは、カールフィッシャー（Karl Fischer）滴定により測定した場合に少なくとも４重量％、好ましくは約４〜約１０重量％の範囲の残留水分含量を更に有してもよい。
【０１０６】
フィルムは、不透明でも、透明でも、半透明でもよい。フィルムは、プリントされた領域を含んでもよい。プリント領域はフィルムの途切れのない部分を覆うか、又はフィルムの各部分を覆うことができる。プリント領域はインク、顔料、染料、ブルーイング剤、又はこれらの混合物を含んでもよい。プリント領域は、単色を含んでも、複数色、更には３色を含んでもよい。プリントは、フィルム表面上に層として存在しても、フィルム内に少なくとも部分的に浸透していてもよい。フィルムは、第１の面及び第２の面を含むものである。プリント領域は、フレキソ印刷又はインクジェット印刷などの標準的な技術を使用して得ることができる。プリント領域は、フィルムの片面上にあっても、両面上にあってもよい。あるいは、フィルムの全部又は少なくとも一部が着色されるように、インク又は顔料をフィルムの製造中に添加してもよい。
【０１０７】
フィルムなどの水溶性ポリマー組成物の他の形状要素については、米国特許出願公開第２０１１／０１８９４１３号及び米国特許出願第１３／７４０，０５３号に見ることができるが、これらをいずれも参照によって本明細書にその全容にわたって援用するものである。
【０１０８】
フィルムの製造方法
水溶性フィルムは、第１のＰＶＯＨポリマーと第２のＰＶＯＨポリマーとを、本明細書に述べられる種類及び量にしたがって、本明細書に述べられる好ましい任意の二次的添加剤とともに、例えば混合、共キャスティング、又は溶着することによって形成することができる。ポリマーが最初に混合される場合、好ましくは得られた混合物を（例えば他の可塑剤及び他の添加剤とともに）次にキャスティングしてフィルムを形成することにより水溶性フィルムを形成する。ポリマーが溶着される場合、例えば、溶剤又は熱溶着により、水溶性フィルムを形成してもよい。水溶性フィルムは、押出し、例えばブロー押出しにより形成することもできる。
【０１０９】
フィルムは任意の適当な厚さを有することができる。例えば、フィルムは、約５〜約２００μｍの範囲、又は約２０〜約１００μｍの範囲、又は約４０〜約８５μｍ、例えば７６μｍの厚さを有することができる。下記に述べるように、例えば熱成形によりパウチが製造される場合には、フィルムが変形してパウチのフィルム厚にばらつきが生じる場合がある。したがって、変形及び／又はパウチ形成に先立って、フィルムの未変形の厚さを決定することができる。
【０１１０】
所望により、水溶性フィルムは１層又は複数の同様の層からなる自立式フィルムとすることができる。
【０１１１】
本明細書に述べられるフィルムを使用して、同じフィルムで又は他のポリマー材料のフィルムと組み合わされて作製される２つ以上の区画を有するパケットのような物品を作製することも可能である。追加のフィルムは、例えば、当該技術分野において既知であるように、同じ又は異なるポリマー材料のキャスティング、吹込成形、押出成形又は押出ブロー成形により得ることができる。追加のフィルムとしての使用に適したポリマー、コポリマー、又はこれらの誘導体は、ポリビニルアルコール、ポリビニルピロリドン、ポリアルキレンオキシド、ポリアクリル酸、セルロース、セルロースエーテル、セルロースエステル、セルロースアミド、ポリビニルアセテート、ポリカルボン酸及びその塩、ポリアミノ酸又はペプチド、ポリアミド、ポリアクリルアミド、マレイン酸／アクリル酸のコポリマー、デンプン及びゼラチンを含む多糖類、キサンタンなどの天然ゴム、並びにカラギーナンから選択することができる。例えば、ポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート、並びにこれらの組み合わせから選択されてもよく、又はポリビニルアルコール、ポリビニルアルコールコポリマー、及びヒドロキシプロピルメチルセルロース（ＨＰＭＣ）、並びにこれらの組み合わせから選択されてもよい。想到される１つのフィルムの部類は、パウチ材料（例えば、上記のようなＰＶＯＨ樹脂ブレンド）中のポリマー濃度が少なくとも６０％であることを特徴とする。
【０１１２】
全ての可塑剤、相溶剤、及び二次添加剤の合計量に対する全水溶性ポリマーの量の重量比は、例えば、約０．５〜約１８、約０．５〜約１５、約０．５〜約９、約０．５〜約５、約１〜３、又は約１〜２の範囲とすることができる。この比は、好ましくは約１〜約３、より好ましくは約１．３〜約２．５である。可塑剤及び他の非ポリマー成分の具体的な量は、所望の機械的フィルム特性を考慮してフィルムの可撓性を調節し、加工性を付与することを目的とした水溶性フィルムの使用に基づいて特定の実施形態において選択することができる。
【０１１３】
家庭用ケア組成物
本開示は、家庭用ケア組成物に関する。本開示の家庭用ケア組成物は、水溶性フィルムにより区画内に少なくとも部分的に封入することができる。多区画パウチは、それぞれ個々の区画に同じ又は異なる組成物を収容することができる。
【０１１４】
有用な組成物（例えば家庭用ケア組成物）の非限定的な例としては、軽質及び重質液体洗剤組成物、食器手洗い用又は自動食器洗い組成物を含む硬質表面洗浄組成物、洗濯に一般的に用いられる洗剤ゲル、漂白剤及び洗濯添加剤、布地改善組成物（布地柔軟剤など）、シャンプー、ボディーウォッシュ、並びに他のパーソナルケア組成物が挙げられる。本発明のパウチに使用される組成物は、液体、ゲル、固体、又は粉末の形態を取ることができる。液体組成物は、固体を含んでいてもよい。固体は、マイクロカプセル、ポリマービーズ、ヌードル若しくは１つ以上の真珠色のボール、又はこれらの混合物など、粉末又は凝集物を含み得る。このような固体要素は、洗浄を通して、又は前処理、遅延、若しくは順次放出成分として技術的利点をもたらし得る。追加的又は代替的に、固体要素は、審美的効果を提供することが可能である。
【０１１５】
多区画パウチは、不適合な成分（例えば、漂白剤と酵素）を含有する組成物を物理的に分離し、又は互いに分割された状態に保つのに有用でありうる。このような分割は、このような成分の耐用年数を延ばし、及び／又は物理的不安定性を低減できると考えられる。これに加えるか又はこれに代えて、こうした分割は、欧州特許出願第０９１６１６９２．０号に記載されているような審美的利益を提供することができる。多区画パウチは、液体組成物を少なくとも１つの区画内に含み、固体組成物を少なくとも１つの区画内に含むことができる。多区画パウチは、液体組成物を少なくとも２つ、又は更には全ての区画内に含む場合もある。
【０１１６】
本明細書に述べられるフィルムによって封入された組成物は、配合した成分及び組成物の目的などの要素に応じ、任意の好適な粘度を有し得る。組成物は、２０ｓ−１のせん断速度及び２０℃の温度で、１００〜３，０００ｃＰ、あるいは３００〜２，０００ｃＰ、あるいは５００〜１，０００ｃＰの高いせん断粘度の値を有することができ、１ｓ−１のせん断速度及び２０℃の温度下で、５００〜１００，０００ｃＰ、あるいは１０００〜１０，０００ｃＰ、あるいは１，３００〜５，０００ｃＰの低いせん断粘度の値を有することができる。粘度の測定方法は、当該技術分野で既知である。本開示によると、粘度測定は、回転レオメータ、例えばＴＡ  Ｉｎｓｔｒｕｍｅｎｔ社のＡＲ５５０を用いて実施される。この機器は、等方性の液体用の約５０〜６０μｍの隙間を有する４０ｍｍの２°又は１°のコーン固定具、又は液体を含む粒子用の１０００μｍの隙間を有する４０ｍｍの平板スチールプレートを含んでいる。この測定は、コンディショニング工程、ピークホールド及び連続傾斜工程を含むフロー手順を用いて実施される。コンディショニング工程は、測定温度を２０℃に設定し、せん断速度１０ｓ−１で１０秒間の予備せん断を行い、選択された温度で６０秒間の平衡を行うことを含む。ピークホールドは、１０ｓ毎にサンプリングしながら、２０℃で０．０５ｓ−１の剪断速度を３分間、適用することを含む。連続傾斜工程は、２０℃で０．１〜１２００ｓ−１の剪断速度で３分間行って完全な流動プロファイルを得る。
【０１１７】
家庭用ケア組成物の適当な成分について、下記により詳細に述べる。
【０１１８】
香料
本開示の家庭用ケア組成物は香料を含む。家庭用ケア組成物は、家庭用ケア組成物の約０．１重量％〜約１０重量％、又は約０．１重量％〜約５重量％、好ましくは約０．５重量％〜約４重量％、より好ましくは約１重量％〜約３重量％の香料を含み得る。
【０１１９】
下記により詳細に述べるように、香料は、未希釈の香料、カプセル化された香料、又はこれらの混合物を含むことができる。好ましくは、香料は未希釈の香料を含む。香料の一部は、コアシェル封入体に封入されてもよい。
【０１２０】
本明細書で用いるところの「香料」には、香料原料（ＰＲＭ）及び香料アコードが含まれる。本明細書で使用するところの「香料原料」なる用語は、少なくとも約１００ｇ／モルの分子量を有する化合物であって、匂い、芳香、エッセンス又は香りを、単独で又は他の香料原料とともに付与するうえで有用な化合物のことを指す。本明細書で使用するところの「香料成分」及び「香料原料」なる用語は互換可能である。本明細書で使用するところの「アコード」なる用語は、２種類以上のＰＲＭの混合物のことを指す。
【０１２１】
一般的なＰＲＭは特に、アルコール、ケトン、アルデヒド、エステル、エーテル、亜硝酸塩、及びテルペンなどのアルケンを含む。一般的なＰＲＭの一覧は、例えば、「Ｐｅｒｆｕｍｅ  ａｎｄ  Ｆｌａｖｏｒ  Ｃｈｅｍｉｃａｌｓ」，Ｖｏｌｓ．Ｉ  ａｎｄ  ＩＩ；Ｓｔｅｆｆｅｎ  Ａｒｃｔａｎｄｅｒ  Ａｌｌｕｒｅｄ  Ｐｕｂ．Ｃｏ．（１９９４）及び「Ｐｅｒｆｕｍｅｓ：Ａｒｔ，Ｓｃｉｅｎｃｅ  ａｎｄ  Ｔｅｃｈｎｏｌｏｇｙ」，Ｍｉｌｌｅｒ，Ｐ．Ｍ．ａｎｄ  Ｌａｍｐａｒｓｋｙ，Ｄ．，Ｂｌａｃｋｉｅ  Ａｃａｄｅｍｉｃ  ａｎｄ  Ｐｒｏｆｅｓｓｉｏｎａｌ（１９９４）のような様々な参照文献に見ることができる。
【０１２２】
ＰＲＭは、常圧（１０１ｋＰａ（７６０ｍｍ  Ｈｇ）で測定した沸点（Ｂ．Ｐ．）、及びこれらのオクタノール／水の分配係数（Ｐ）を特徴とする。下記により詳細に述べるように、これらの特徴に基づいて、ＰＲＭＳは、Ｑｕａｄｒａｎｔ  Ｉ、Ｑｕａｄｒａｎｔ  ＩＩ、Ｑｕａｄｒａｎｔ  ＩＩＩ又はＱｕａｄｒａｎｔ  ＩＶの香料として分類することができる。
【０１２３】
ＰＲＭのオクタノール／水の分配係数は、オクタノール中及び水中でのその平衡濃度の比率である。多くのＰＲＭのｌｏｇＰが報告されており、例えばＤａｙｌｉｇｈｔ  Ｃｈｅｍｉｃａｌ  Ｉｎｆｏｒｍａｔｉｏｎ  Ｓｙｓｔｅｍｓ，Ｉｎｃ．（以後「Ｄａｙｌｉｇｈｔ  ＣＩＳ」と呼ぶ）（Ｉｒｖｉｎｅ，Ｃａｌｉｆｏｒｎｉａ）から入手可能なＰｏｍｏｎａ  ９２データベースは、元の文献の引用とともに、多くのものを含んでいる。ただし、ｌｏｇＰ値は、同様にＤａｙｌｉｇｈｔ  ＣＩＳからも入手可能な「ＣＬＯＧＰ」プログラムによって最も便利に計算される。このプログラムはまた、それらがＰｏｍｏｎａ９２データベースで入手可能な場合には、実験的なｌｏｇＰの値も載せている。「ｌｏｇＰの計算値」（ｃｌｏｇＰ値）は、ハンシュ（Hansch）及びレオ（Leo）のフラグメント法により求められる（ｃｆ．，Ａ．Ｌｅｏ，ｉｎ  Ｃｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ，Ｐ．Ｇ．Ｓａｍｍｅｎｓ，Ｊ．Ｂ．Ｔａｙｌｏｒ  ａｎｄ  Ｃ．Ａ．Ｒａｎｓｄｅｎ，Ｅｄｓ．，ｐ．２９５，Ｐｅｒｇａｍｏｎ  Ｐｒｅｓｓ，１９９０，当該文献を本明細書に参照により援用する）。フラグメント法は、各ＰＲＭの化学構造に基づいており、原子の数及び種類、原子の連結性、並びに化学結合を考慮する。ｃｌｏｇＰ値は、最も信頼でき、物理化学的特性の評価に広く用いられており、好ましくは本発明で有用なＰＲＭの選択においてｌｏｇＰ実験値の代わりに用いられる。
【０１２４】
多くのＰＲＭの沸点が、例えば、「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ），」Ｓ．Ａｒｃｔａｎｄｅｒ，（著者により刊行）１９６９，当該文献を本明細書に参照により援用する。）に示されている。他の沸点の値は、Ｂｅｉｌｓｔｅｉｎ  Ｈａｎｄｂｏｏｋ，Ｌａｎｇｅ’ｓ  Ｈａｎｄｂｏｏｋ  ｏｆ  Ｃｈｅｍｉｓｔｒｙ，ａｎｄ  ｔｈｅ  ＣＲＣ  Ｈａｎｄｂｏｏｋ  ｏｆ  Ｃｈｅｍｉｓｔｒｙ  ａｎｄ  Ｐｈｙｓｉｃｓなどの異なる化学ハンドブック及びデータベースから得ることができる。異なる圧力（通常は、１０１ｋＰａ（７６０ｍｍ  Ｈｇ）の常圧よりも低い圧力）における沸点のみが示されている場合、常圧での沸点は、「Ｔｈｅ  Ｃｈｅｍｉｓｔ’ｓ  Ｃｏｍｐａｎｉｏｎ，」Ａ．Ｊ．Ｇｏｒｄｏｎ  ａｎｄ  Ｒ．Ａ．Ｆｏｒｄ，Ｊｏｈｎ  Ｗｉｌｅｙ  ＆  Ｓｏｎｓ  Ｐｕｂｌｉｓｈｅｒｓ，１９７２，ｐｐ．３０〜３６に示されるような沸点−圧力の計算図表を使用しておおよそ推定することができる。
【０１２５】
沸点（Ｂ．Ｐ．）が２５０℃よりも低く、かつｃｌｏｇＰが３．０よりも低い香料原料は、Ｑｕａｄｒａｎｔ  Ｉ香料と呼ばれる。Ｂ．Ｐ．が２５０℃よりも低く、ｃｌｏｇＰが０〜３．０であるＱｕａｄｒａｎｔ  Ｉ香料が好ましい。Ｑｕａｄｒａｎｔ  Ｉ香料原料の非限定的な例としては、カプロン酸アリル、酢酸アミル（Arnyl）、プロピオン酸アミル（Arnyl）、アニスアルデヒド、アニソール、ベンズアルデヒド、酢酸ベンジル、ベンジルアセトン、ベンジルアルコール、ギ酸ベンジル、イソ吉草酸ベンジル、プロピオン酸ベンジル、β，γヘキセノール、カンフルガム、ラエボ−カルベオール（laevo-carveol）、ｄ−カルボン、シンナミルアルコール、ギ酸シンナミル、ｃｉｓ−ジャスモン、ｃｉｓ−３−ヘキセニルアセテート、クミン（Curninic）アルコール、クミンアルデヒド、シクラルＣ（Cyclal C）、ジメチルベンジルカルビノール、酢酸ジメチルベンジルカルビニル、酢酸エチル、アセト酢酸エチル、エチルアミルケトン、安息香酸エチル、酪酸エチル、エチルヘキシルケトン、フェニル酢酸エチル、ユーカリプトール、オイゲノール、フェンチルアルコール、フロールアセテート（Flor Acetate）（トリシクロデセニルアセテート）、フルテン（トリシクロデセニルプロピオネート）、ゲラニオール、ヘキセノール、酢酸ヘキセニル、酢酸ヘキシル、ギ酸ヘキシル、ヒドロアトロパアルコール、ヒドロキシシトロネラール、イソアミルアルコール、イソメントン、酢酸イソプレギル、イソキノリン、ｃｉｓ−ジャスモン、リグストラール、リナロール、リナロールオキシド、ギ酸リナリル、メントン、メチルアセトフェノン、メチルアミル（Arnyl）ケトン、アントラニル酸メチル、安息香酸メチル、メチルベンジルアセテート、ネロール、フェニルエチルアルコール、α−テルピネオール、プロピオン酸エチルエステル、プロピオン酸エチル、酢酸２−メチルプロピルエステル、酢酸イソブチル、ブタン酸２−メチル−エチルエステル、酪酸エチル−２−メチル、２−ヘキセナール、（Ｅ）−、２−ヘキセナール、ベンゼン酢酸メチルエステル、フェニル酢酸エチル、１、３−ジオキソラン−２−酢酸２−メチル−エチルエステル、フラクトン、ベンゼンアセトアルデヒド．α．メチル−ヒドラトロピックアルデヒド、酢酸（２−メチルブトキシ）−２−プロペニルエステル、アリルアミルグリコレート、エタノール２、２’−オキシビス−、カローン（Calone）１６１、２（３Ｈ）−フラノン５−エチルジヒドロ−，γ−ヘキサラクトン、２Ｈ−ピラン３、６−ジヒドロ−４−メチル−２−（２−メチル−１−プロペニル）−、ネロールオキシド、２−プロペナール３−フェニル−、ケイ皮アルデヒド、２−プロペン酸３−フェニル−メチルエステル、ケイ皮酸メチル、４Ｈ−ピラン−４−オン２−エチル−３−ヒドロキシ−、エチルマルトール、２−ヘプタノン、メチルアミルケトン、酢酸ペンチルエステル、イソアミルアセテート、へプテノンメチル−、メチルヘプテノン、１−ヘプタノール、ヘプチルアルコール、５−ヘプテン−２−オン６−メチル、メチルヘプテノン、エタノール２−（２−メトキシエトキシ）−、ベラモス（Veramoss）Ｓｐｓ、トリシクロ［２．２．１．０２，６］ヘプタン１−エチル−３−メトキシ−、ネ���プロキセン（Neoproxen）、ベンゼン１、４−ジメトキシ−、ヒドロキノンジメチルエーテル、炭酸３−ヘキセニルメチルエステル（Ｚ）−、リファローム（Liffarome）、オキシラン２、２−ジメチル−３−（３−メチル−２、４−ペンタジエニル）−、マイロキシド（Myroxide）、エタノール２−（２−エトキシエトキシ）−、ジエチレングリコールモノエチルエーテル、シクロヘキサンエタノール、シクロヘキシルエチルアルコール、３−オクテン−１−オール（Ｚ）−、オクテノール（Octenol）Ｄｉｘ、３−シクロヘキセン−１−カルボキシアルデヒド３、６−ジメチル−、シクロベルタール（Cyclovertal）、１、３−オキサチアン２−プロピル−４−メチル−ｃｉｓ−、オキサン、酢酸４−メチルフェニルエステル、酢酸ｐ−クレジル、ベンゼン（２、２−ジメトキシエチル）−、フェニルアセトアルデヒドジメチルアセタール、オクタナール７−メトキシ−３、７−ジメチル−、メトキシシトロネラールＰｑ、２Ｈ−１−ベンゾピラン−オン２−オクタヒドロ−、オクタヒドロクマリン、ベンゼンプロパナール．β．−メチル−、トリフェマール（Trifemal）、４，７−メタノ−１Ｈ−インデンカルボキシアルデヒドオクタヒドロ−、ホルミルトリシクロデカン、エタノン１−（４−メトキシフェニル）−、ｐ−メトキシアセトフェノン、プロパンニトリル３−（３−ヘキセニルオキシ）−（Ｚ）−、パルマニル（Parmanyl）、１、４−メタノンナフタレン−５（１Ｈ）−オン４，４ａ，６，７，８，８ａ−ヘキサヒドロ−、タミゾン（Tamisone）、ベンゼン［２−（２−プロペニルオキシ）エチル］−、ＬＲＡ  ２２０、ベンゼンプロパノール、フェニルプロピルアルコール、１Ｈ−インドール、インドール、１、３−ジオキソラン２−（フェニルメチル）−、エチレングリコールアセタール／フェニルアセトアルデヒド、２Ｈ−１−ベンゾピラン−２−オン３、４−ジヒドロ−、ジヒドロクマリン、及びこれらの混合物が挙げられる。
【０１２６】
沸点（Ｂ．Ｐ．）が約２５０℃以上であるか、又はｃｌｏｇＰが３．０よりも低い香料原料は、Ｑｕａｄｒａｎｔ  ＩＩ香料と呼ばれる。Ｂ．Ｐ．が２５０℃よりも高く、ｃｌｏｇＰが０〜３．０であるＱｕａｄｒａｎｔ  ＩＩ香料が好ましい。Ｑｕａｄｒａｎｔ  ＩＩ香料の非限定的な例としては、クマリン、オイゲノール、イソオイゲノール、インドール、ケイ皮酸メチル、ジヒドロジャスモン酸メチル、メチル−Ｎ−メチルアントラニレート、β−メチルナフチルケトン、δ−ナノラクトン、バニリン、及びこれらの混合物が挙げられる。
【０１２７】
沸点（Ｂ．Ｐ．）が２５０℃よりも低く、かつｃｌｏｇＰが約３．０よりも高い香料原料は、Ｑｕａｄｒａｎｔ  ＩＩＩ香料と呼ばれる。Ｑｕａｄｒａｎｔ  ＩＩＩ香料原料の非限定的な例としては、イソ酢酸イソボルニル（iso-bomyl acetate）、カルバクロール、α−シトロネロール、パラシメン、ジヒドロミルセノール、酢酸ゲラニル、ｄ−リモネン、酢酸リナリル、バーテネックス（vertenex）が挙げられる。
【０１２８】
沸点（Ｂ．Ｐ．）が約２５０℃以上であるか、又はｃｌｏｇＰが約３．０以上である香料原料は、Ｑｕａｄｒａｎｔ  ＩＶ香料又は持続性香料（enduring perfume）と呼ばれる。持続性香料原料の非限定的な例としては、シクロヘキサンプロピオン酸アリル、アンブレットリド、安息香酸アミル、アミルシンナメート、アミルシンナメートアルデヒド、アミルシンナメートアルデヒドジメチルアセタール、サリチル酸イソアミル、ヒドロキシシトロネラール−メチルアントラニレート（オーランチオール（登録商標）として知られる）、ベンゾフェノン、サリチル酸ベンジル、ｐ−ｔｅｒｔ−ブチルシクロヘキシルアセテート、イソブチルキノリン、β−カリオフィレン、カジネン、セドロール、酢酸セドリル、ギ酸セドリル、シンナミルシンナメート、サリチル酸シクロヘキシル、シクラメンアルデヒド、ジヒドロイソジャスモネート、ジフェニルメタン、ジフェニルオキシド、ドデカラクトン、１−（１，２，３，４，５，６，７，８−オクタヒドロ−２，３，８，８−テトラメチル−２−ナフタレニル）−エタノン（イソＥスーパー（iso E super）（登録商標）として知られる）、ブラシル酸エチレン、グリシド酸メチルフェニル、ウンデシレン酸エチル、１５−ヒドロキシペンタデカン酸ラクトン（エクサルトリド（exaltolide）（登録商標）として知られる）、１，３，４，６，７，８−ヘキサヒドロ−４，６，６，７，８，８−ヘキサメチル−シクロペンタ−γ−２−ベンゾピラン（ガラキソリド（galaxolide）（登録商標）として知られる）、アントラニル酸ゲラニル、フェニル酢酸ゲラニル、ヘキサデカノリド、サリチル酸ヘキセニル、ヘキシルケイ皮アルデヒド、サリチル酸ヘキシル、α−イロン、γ−イオノン、γ−ｎ−メチルイオノン、ｐ−ｔｅｒｔ−ブチル−α−メチルヒドロシンナムアルデヒド（リリアル（lilial）（登録商標）として知られる）、リリアル（ｐ−ｔ−ブシナール）（登録商標）、安息香酸リナリル、２−メトキシナフタレン、ジヒドロジャスモン酸メチル、ジャコウインダノン、ジャコウケトン、ジャコウチベチン（musk tibetine）、ミリスチシン、オキサヘキサデカノリド−１０、オキサヘキサデカノリド−１１、パチュリアルコール、５−アセチル−１，１，２，３，３，６−ヘキサメチルインダン（ファントリド（phantolide）（登録商標）として知られる）、安息香酸フェニルエチル、酢酸フェニルエチルフェニル、フェニルヘプタノール、フェニルヘキサノール、α−サンタロール、δ−ウンデカラクトン、γ−ウンデカラクトン、酢酸ベチベリル（vetiveryl acetate）、ヤラヤラ（yara-yara）、イランゲン（ylangene）、が挙げられる。
【０１２９】
香料原材料及びアコードは、以下の香料材料供給元の１つ以上から入手することができる。すなわち、フィルメニッシュ社（Firmenich）（スイス、ジュネーブ（Geneva））、ジボダン社（Givaudan）（フランス、アルジャントゥイユ（Argenteuli））、ＩＦＦ社（ニュージャージー州、ヘズレット（Hazlet））、クエスト（Quest）社（ニュージャージー州、マウントオリーブ（Mount Olive））、ベドウキアン社（Bedoukian）（コネティカット州、ダンバリー（Danbury））、シグマ・アルドリッチ社（Sigma Aldrich）（ミズーリ州、セントルイス（St. Louis））、ミレニアム・スペシャルティ・ケミカルズ社（Millennium Specialty Chemicals）（イリノイ州、オリンピアフィールズ（Olympia Fields））、ポラロン・インターナショナル社（Polarone International）（ニュージャージー州、ジャージーシティー（Jersey City））、フレグランス・リソーシズ社（Fragrance Resources）（ニュージャージー州、キーポート（Keyport））、及びアロマ・アンド・フレーバー・スペシャルティーズ社（Aroma & Flavor Specialties）（コネティカット州、ダンバリー（Danbury））。
【０１３０】
従来、香料アコードは、衣類に対する高い付着効率、ひいては匂い付与性のために「持続性」香料（Ｑｕａｄｒａｎｔ  ＩＶ）を中心として配合されてきたのに対して、「非永続性」香料、特にＱｕａｄｒａｎｔ  Ｉ香料成分は、衣類に付着しにくいと考えられ、そのため、無駄及び汚染を最小に抑えるために通常は単独でごく少量で使用されている。Ｑｕａｄｒａｎｔ  Ｉ香料成分は親水性（例えば、３．０よりも低いｃｌｏｇＰ）であり、沸点は低く（例えば、２５０℃未満）、そのため、洗い又はすすぎ媒体中に、又は熱乾燥中に容易に失われる。本開示の組成物では、特定の非永続性香料成分、特にＱｕａｄｒａｎｔ  Ｉの香料成分を意図的に配合することで、例えば、容器のヘッドスペース内の香料の匂いを改善し、消費者が容器内の水溶性パウチの香料特性を認識できるようにすることができる。以下に述べるように、本開示の組成物は、組成物の少なくとも約２重量％、又は少なくとも約３重量％、又は少なくとも約４重量％のＱｕａｄｒａｎｔ  Ｉ香料成分を含むことができる。
【０１３１】
本開示に基づく香料は、約１５重量％〜約６０重量％、好ましくは約２０重量％〜約５５重量％、より好ましくは約２５重量％〜約５０重量％の非永続性成分の香料アコードを含有することができる。非永続性香料成分は、Ｑｕａｄｒａｎｔ  Ｉ、ＩＩ、及びＩＩＩ香料成分を包含する。本開示に基づく香料は、約２重量％〜約１５重量％、好ましくは約３重量％〜約１２重量％、より好ましくは約４重量％〜約１０重量％のＱｕａｄｒａｎｔ  Ｉ香料成分の香料アコードを含有することができる。香料は、少なくとも約２重量％、又は少なくとも約３重量％、又は少なくとも約４重量％のＱｕａｄｒａｎｔ  Ｉ香料成分を含むことができる。
【０１３２】
これに加えて又はこれに代えて、香料は、約２．５重量％〜約２５重量％、好ましくは約３重量％〜約２０重量％、より好ましくは約５重量％〜約１５重量％のＱｕａｄｒａｎｔ  ＩＩ香料成分、約１０重量％〜約５０重量％、好ましくは約１５重量％〜約４５％、より好ましくは約２０重量％〜約４０重量％のＱｕａｄｒａｎｔ  ＩＩＩ香料成分、及び／又は、約４０重量％〜約８５重量％、好ましくは約４５重量％〜約７５重量％、より好ましくは約４０重量％〜約６５重量％のＱｕａｄｒａｎｔ  ＩＶ香料成分を含むことができる。このような香料アコードは、本開示に基づく水溶性パウチを形成するために本開示に基づく水溶性フィルムに封入される家庭用ケア組成物中に有機溶媒とともに共配合される場合、容器のヘッドスペース内に香料のよい匂いを与えることで、消費者が容器内の水溶性パウチの香料特性を認識できるようにする一方で、洗いを通じて衣類への効率的な香料の付着、ひいては湿潤及び乾燥段階の両方で衣類への高い匂い付着性を依然もたらすとともに、保管時の有機溶媒の損失が最小限に抑えられる。
【０１３３】
香料の一部をカプセル化香料としてもよい。香料は、コアシェル封入体に封入することができる。封入体はコア及び壁を有することができ、壁がコアを少なくとも部分的に包囲するシェルとして機能する。コアは、香料などの有益剤を含んでもよい。壁は外表面を有してよく、外表面はコーティングを有してよい。コーティングは効率ポリマーを含むことができる。これらの要素について下記により詳細に述べる。
【０１３４】
本組成物は、組成物の約０．１重量％〜、又は約０．２重量％〜、又は約０．３重量％〜、又は約０．４重量％〜、又は約０．５重量％〜、約５重量％まで、又は約２．５重量％まで、又は約２重量％まで、又は約１重量％までの封入体を含むことができる。本組成物は、組成物の約０．１重量％〜約１重量％の水を含むことができる。
【０１３５】
封入体は壊れやすいものとすることができる。封入体の粒径は、マルバーン粒子径測定装置を使用するなどの当該技術分野では周知の一般的な方法によって測定することができる。封入体は、約１０μｍ〜約５００μｍまで、又は約２００μｍまで、又は約１００μｍまで、又は約５０μｍまで、又は約３０μｍまでの平均粒径を有することができる。複数の封入体が集合体を形成してもよい。
【０１３６】
封入体は、約２〜約１０、約３〜約９、又は約４〜約８のｐＨでカチオン電荷を有することができる。
【０１３７】
封入体は、少なくとも部分的にコアを包囲することができる壁を有してもよい。壁は、ポリエチレン、ポリアミド、ポリスチレン、ポリイソプレン、ポリカーボネート、ポリエステル、ポリアクリレート、アクリル、アミノプラスト、ポリオレフィン、多糖類、例えば、アルギネート及び／若しくはキトサン、ゼラチン、セラック、エポキシ樹脂、ビニルポリマー、非水溶性無機材料、シリコーン、及びこれらの混合物からなる群から選択される壁材料を含むことができる。壁材料は、アミノプラスト、アクリル、アクリレート、及びこれらの混合物からなる群から選択することができる。
【０１３８】
壁材料はアミノプラストを含むことができる。アミノプラストは、ポリ尿素、ポリウレタン及び／又はポリウレアウレタンを含むことができる。アミノプラストは、アミノプラストコポリマー、例えば、メラミンホルムアルデヒド、尿素ホルムアルデヒド、架橋メラミンホルムアルデヒド、又はこれらの混合物を含みうる。壁材料は、メラミンホルムアルデヒドを含んでもよく、壁は、下記に述べるようなコーティングを更に含んでもよい。封入体は、香料を含むコアと、メラミンホルムアルデヒド及び／又は架橋メラミンホルムアルデヒドを含む壁とを有することができる。封入体は、香料を含むコアと、メラミンホルムアルデヒド及び／又は架橋メラミンホルムアルデヒド、ポリ（アクリル酸）及びポリ（アクリル酸−ｃｏ−ブチルアクリレート）を含む壁とを有することができる。
【０１３９】
封入体の外壁は、コーティングを有することができる。特定のコーティングは、布地などの対象面上への封入体の付着性を向上させることができる。封入体のコーティングと壁との重量比は、約１：２００〜約１：２、約１：１００〜約１：４、又は更には約１：８０〜約１：１０とすることができる。
【０１４０】
コーティングは効率ポリマーを含むことができる。コポリマーは、カチオン性効率ポリマーを更に含むことができる。カチオン性ポリマーは、多糖類、カチオン変性デンプン、カチオン変性グアー、ポリシロキサン、ポリジアリルジメチルアンモニウムハライド、ポリジアリルジメチルアンモニウムクロリドとビニルピロリドンとのコポリマー、アクリルアミド、イミダゾール、イミダゾリニウムハライド、イミダゾリウムハライド、ポリビニルアミン、ポリビニルホルムアミド、ポリアリルアミン、これらのコポリマー、及びこれらの混合物からなる群から選択することができる。コーティングは、ポリビニルアミン、ポリビニルホルムアミド、ポリアリルアミン、これらのコポリマー、及びこれらの混合物からなる群から選択されるポリマーを含むことができる。
【０１４１】
コーティングはポリビニルホルムアミドを含むことができる。ポリビニルホルムアミドは、約５％〜約９５％、約７％〜約６０％、又は更には約１０％〜約４０％の加水分解度を有することができる。
【０１４２】
効率ポリマーの１つ以上が、約１，０００Ｄａ〜約５０，０００，０００Ｄａ、約５，０００Ｄａ〜約２５，０００，０００Ｄａ、約１０，０００Ｄａ〜約１０，０００，０００Ｄａ、又は更には約３４０，０００Ｄａ〜約１，５００，０００Ｄａの平均分子質量を有することができる。効率ポリマーの１つ以上が、効率ポリマー１ｇ当たり約１ｍｅｑ〜約２３ｍｅｑ、効率的なポリマー１ｇ当たり約１．２ｍｅｑ〜１６ｍｅｑ、効率的なポリマー１ｇ当たり約２ｍｅｑ〜約１０ｍｅｑ、又は更には効率的なポリマー１ｇ当たり約１ｍｅｑ〜約４ｍｅｑの電荷密度を有することができる。
【０１４３】
封入体のコアは、有益剤を含むことができる。適当な有益剤には、香料原料、シリコーンオイル、ワックス、炭化水素類、高級脂肪酸、エッセンシャルオイル、脂質、皮膚冷却剤、ビタミン、日焼け止め剤、酸化防止剤、グリセリン、触媒、漂白剤粒子、二酸化ケイ素粒子、悪臭軽減剤、臭気制御材料、キレート剤、帯電防止剤、柔軟剤、昆虫及びガ駆除剤、着色剤、酸化防止剤、キレート剤、増粘剤、ドレープ及びフォーム調整剤、平滑剤、しわ抑制剤、衛生化剤、消毒剤、細菌抑制剤、カビ抑制剤、白カビ抑制剤、抗ウィルス剤、乾燥剤、耐汚染剤、汚れ放出剤、布地リフレッシュ剤及び洗い立て感維持剤、塩素漂白臭気抑制剤、染料固定剤、染料移染防止剤、色保持剤、蛍光増白剤類、色復元／再生剤、抗退色剤、白色増強剤、抗磨耗剤、耐磨耗剤、布地一体化剤、摩耗防止剤、けば立ち防止剤、抑泡剤、消泡剤、紫外線保護剤、日褪せ阻害剤、抗アレルギー剤、酵素、防水剤、布地快適剤、耐収縮剤、耐伸剤、伸縮回復剤、スキンケア剤、グリセリン、及び天然活性物質、抗菌活性物質、制汗剤活性物質、カチオン性ポリマー、染料、並びにこれらの混合物が含まれうる。有益剤は香料原料を含むことができる。
【０１４４】
封入体は、香料原料を含むコアと、メラミンホルムアルデヒド及び／又は架橋メラミンホルムアルデヒドを含む壁とを有してよく、壁は更に、壁の外表面上にコーティングを有し、コーティングはポリビニルアルコールなどの効率ポリマーを含む。
【０１４５】
適当な封入体は、Ｅｎｃａｐｓｙｓ社（米国、ウイスコンシン州アップルトン）から入手することができる。洗浄剤組成物は、異なる封入体の混合物、例えば、異なる壁材料及び／又は有益剤を有する封入体の混合物を含むことができる。
【０１４６】
本家庭用ケア組成物は、ホルムアルデヒド捕捉剤を更に含んでもよい。このような捕捉剤は、特定の封入体、特にホルムアルデヒドを含み、かつ／又は放出する封入体において、又は封入体と使用するうえで有用でありうる。適当なホルムアルデヒドスカベンジャーには、亜硫酸水素ナトリウム、尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、エチルアセトアセタート、アセトアセトアミド、マロンアミド、アスコルビン酸、１，３−ジヒドロキシアセトン二量体、ビウレット、オキサミド、ベンゾグアナミン、ピログルタミン酸、ピロガロール、メチルガラート、エチルガラート、プロピルガラート、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、ポリ（ビニルアミン）、ヘキサンジオール、エチレンジアミン−Ｎ，Ｎ’−ビスアセトアセトアミド、Ｎ−（２−エチルヘキシル）アセトアセトアミド、Ｎ−（３−フェニルプロピル）アセトアセトアミド、リリアル、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、ベンジルアミン、ヒドロキシシトロネロール、シクロヘキサノン、２−ブタノン、ペンタンジオン、デヒドロ酢酸、キトサン、又はこれらの混合物が含まれうる。
【０１４７】
有機溶媒
本開示の家庭用ケア組成物は、有機溶媒を含むことができる。本開示の家庭用組成物において、有機溶媒は、例えば、製品安定性を高めるうえで有用でありうる。しかし、本明細書に述べられるパウチからの有機溶媒の損失は、製品の不安定性、パウチがべとつく、又はべたべたするなどの問題を生じうる。本開示の水溶性フィルムは、本開示の組成物及び容器とともに機能することで、有機溶媒の損失を最小に抑える一方で、パウチの一体性、フィルムの可塑性、使用時の溶解性、及び／又は香料の放出性といった他のパウチの利点をもたらすものと考えられる。
【０１４８】
組成物は、組成物の約１重量％〜約５０重量％の有機溶媒を含むことができる。組成物は、組成物の約５重量％〜、又は約１０重量％〜、又は約１５重量％〜、約５０重量％まで、又は約４０重量％まで、又は約３０重量％までの有機溶媒を含むことができる。
【０１４９】
好適な有機溶媒としては、低分子量のモノアルコール、ポリオール、グリコール、又はこれらの組み合わせが挙げられ、好ましくはこれらから選択される。本明細書で使用するところの「低分子量」とは、約６００未満、約５００未満、又は約４００未満、又は約３００未満、又は約２００未満の分子量を有することを意味する。適当な有機溶媒としては、グリセロール、１，２−プロパンジオール、１，３−プロパンジオール、ジプロピレングリコール、ジエチレングリコール、ポリアルキレングリコール（約２００〜約６００、又は約５００まで、又は約４００までの重量平均分子量を有しうるポリエチレングリコールなど）、ソルビトール、及びこれらの混合物が挙げられる。家庭用ケア組成物は、エタノールを実質的に含まずともよく、これは、家庭用ケア組成物が組成物の重量の０重量％（０重量％を含む）〜約０．１重量％のエタノールを含むことを意味する。本明細書で使用する場合、脂肪酸、アルカノールアミン（例えば、モノエタノールアミン、ジエタノールアミン、トリエタノールアミン）、又は、クメンスルホン酸塩、トルエンスルホン酸塩、若しくはキシレンスルホン酸塩などのヒドロトロープのいずれも有機溶媒とは解釈されない。水もまた、本発明の範囲内では有機溶媒とは解釈されない。
【０１５０】
家庭用ケア組成物は、少なくとも２種類の有機溶媒、又は少なくとも３種類の有機溶媒を含むことができる。組成物は、第１の有機溶媒を含むことができる。第１の有機溶媒は、他の有機溶剤よりも大きい割合で存在することができる。第１の有機溶剤は１，２−プロパンジオールとすることができる。家庭用ケア組成物は、第２の有機溶媒を含むことができる。第２の有機溶媒は、グリセリンとすることができる。第１の溶媒（例えば１，２−プロパンジオール）と、第２の溶媒（例えばグリセロール）との比は、約７：１〜約１：５、又は約６．５：１〜約１：３、又は約４：１〜約１：１、又は３．５：１〜１．５：１とすることができる。
【０１５１】
家庭用ケア組成物は、１，２−プロパンジオール及びジプロピレングリコールを含むことができる。１，２−プロパンジオールとジプロピレングリコールとの重量比は、１：１〜１０：１、又は１：１〜５：１、又は１．５：１〜４：１とすることができる。
【０１５２】
家庭用ケア組成物は、１，２−プロパンジオール、グリセロール、及びジプロピレングリコールを含むことができる。１，２−プロパンジオールとグリセロールとの重量比、及び１，２−プロパンジオールとジプロピレングリコールとの重量比は、１：１〜１０：１、又は１：１〜５：１、又は１．５：１〜４：１とすることができる。グリセロールとジプロピレングリコールとの重量比は、３：１〜１：３、又は２：１〜１：２、又は１．５：１〜１：１．５とすることができる。
【０１５３】
特定の態様では、有機溶媒のうちの少なくとも１つ、又は少なくとも２つの有機溶媒は、フィルム材料の可塑剤のうちの少なくとも１つ、又は少なくとも２つのものと同じである。理論に束縛されることを望むものではないが、共通の溶媒／可塑剤を有することで、フィルムが区画内に収容された組成物と接触している場合に時間の経過に伴うフィルムの可塑性が向上しうると考えられる。共通の溶媒／可塑剤を有することで、また、容器のヘッドスペース内への特定の香料の選択的な漏出が促進されうる。共通の溶媒／可塑剤は、グリセロール、ソルビトール、ジプロピレングリコール、１，２−プロパンジオール、１，３−プロパンジオール、又はこれらの組み合わせから選択することができる。
【０１５４】
本組成物の有機溶媒は、相対的な親水性の指標を与える、上記に述べたようなｃｌｏｇＰ値を特徴とすることができる。いくつかの有機溶媒のｃｌｏｇＰ値を下記表１に示す。
【０１５５】
本組成物の有機溶媒は、沸点（Ｂ．Ｐ．）を特徴とすることもできる。複数の有機溶媒の沸点を下記表１に示す。
【０１５６】
【表１】
2019513641.tif 000005
【０１５７】
香料と有機溶媒との特定の組み合わせを選択することにより、記載されたパウチから密閉容器のヘッドスペース内に少なくともいくらかの香料が漏れることができる一方で、有機溶媒の損失が比較的抑制されるようにすることが望ましい。
【０１５８】
本明細書に述べられる家庭用ケア組成物では、有機溶媒が、全有機溶媒の少なくとも約１０重量％、又は少なくとも約２０重量％の、沸点が２５０℃よりも高い有機溶媒を含んでよく、香料は、全香料の少なくとも約１０重量％、又は少なくとも約２０重量％、又は少なくとも約３０重量％の、沸点が２５０℃よりも低い香料原料を含んでよい。
【０１５９】
本明細書に述べられる家庭用ケア組成物では、有機溶媒は、全有機溶媒の少なくとも約５０重量％、又は少なくとも約８０重量％、又は少なくとも約９０重量％、又は更には少なくとも約９５重量％の、ｃｌｏｇＰ値が０よりも小さい有機溶媒を含んでよく、かつ／又は、香料は、全香料の少なくとも約５０重量％、又は少なくとも約８０重量％、又は少なくとも約９０重量％、又は更には少なくとも約９５重量％の、ｃｌｏｇＰ値が０よりも大きい香料原料を含んでよい。より好ましくは、香料アコードは、香料の約４重量％〜約４０重量％、好ましくは６重量％〜３０重量％、より好ましくは８重量％〜２０重量％の、ｃｌｏｇＰが０〜３．０である香料原料、及び香料の６０重量％〜９６重量％、好ましくは７０重量％〜９４重量％、より好ましくは８０重量％〜９２重量％の、ｃｌｏｇＰが３．０よりも大きい香料原料を含む。
【０１６０】
他の成分
本明細書に述べられる家庭用ケア組成物は、以下の成分の非限定的なリストのうちの１つ以上を含むことができる。すなわち、布地ケア有益剤；洗浄性酵素、沈着助剤、レオロジー変性剤、ビルダー、漂白剤（bleach）、漂白剤（bleaching agent）、漂白剤前駆体、漂白促進剤、漂白触媒、香料充填ゼオライト、デンプン封入アコード、ポリグリセロールエステル、白色剤、パールエッセンス剤酵素安定剤系、アニオン性染料の固着剤を含む除去剤、アニオン性界面活性剤の錯化剤、及びこれらの混合物、任意の漂白剤又は蛍光剤、汚れ放出ポリマー及び／又は汚れ懸濁ポリマーを含むがこれらに限定されないポリマー、分散剤、消泡剤、非水性溶剤、脂肪酸、抑泡剤、例えば、シリコーン抑泡剤、カチオンデンプンスカム分散剤、持続性染料、色相染料、着色剤、乳白剤、酸化防止剤、トルエンスルホネート、クメンスルホネート、及びナフタレンスルホネートなどのヒドロトロープ、色スペックル、着色ビーズ、スフェア又は押出物、布地柔軟化剤、抗菌剤。これに加えるか又はこれに代えて、組成物は、界面活性剤、第四級アンモニウム化合物、及び／又は溶媒含んでもよい。第四級アンモニウム化合物は、布地柔軟剤などの布地改善組成物中に存在してよく、構造ＮＲ４＋（式中、Ｒはアルキル基又はアリール基である）の正電荷の多原子イオンである第四級アンモニウムカチオンを含む。
【０１６１】
本明細書に述べられる家庭用ケア組成物は、組成物の約５重量％〜約７０重量％、又は約１０重量％〜約６０重量％、又は約２０重量％〜約５０重量％、又は約３０重量％〜約５０重量％の界面活性剤を含んでよく、この界面活性剤は、アニオン性、カチオン性、非イオン性、双性イオン性、又は両性界面活性剤、又はこれらの混合物から選択することができる。アニオン性界面活性剤は、アルキルベンゼンスルホネート、アルコキシ化アルキルサルフェート、又はこれらの組み合わせを含みうる。非イオン性界面活性剤は、エトキシ化非イオン性界面活性剤を含みうる。組成物は、５％〜６０％、又は約１５％〜約５０％、又は約２０％〜約４５％の界面活性剤を含むことができる。界面活性剤は、アニオン性界面活性剤と非イオン性界面活性剤とを、約２０：１〜約１：３、又は約１５：１〜約１：２、又は約１２：１〜約３：１の重量比で含んでよく、その場合、アニオン性界面活性剤は、脂肪酸、アルキルエーテルスルホネート、アルキルベンゼンスルホネート、又はこれらの組み合わせのうちの１つ以上で構成される。
【０１６２】
本明細書に述べられる家庭用ケア組成物は、比較的低い濃度の水を含んでもよい（含む場合）。家庭用ケア組成物は、２０％未満、又は１５％未満、又は１２％未満、又は１０％未満、又は８％未満、又は５％未満の水を含むことができる。組成物は、組成物の約１重量％〜２０重量％、又は約３重量％〜約１５重量％、又は約５重量％〜約１２重量％の水を含んでもよい。組成物は実質的に無水であってもよく、これは本明細書では、組成物が、約５％未満、又は約２％未満、又は約１％未満の水を含みうることを意味する。比較的高い濃度の水は、水溶性フィルムの一体性に悪影響を及ぼす可能性がある。
【０１６３】
組成物は水とグリコールとの混合物を含んでもよく、その場合、グリコールは、グリセロール、１，２−プロパンジオール、１，３−プロパンジオール、及びジプロピレングリコールからなる群から選択することができる。グリセロールは、全組成物の約１５重量％未満、好ましくは約１０重量％未満の量で存在してよい。水とグリセリンとの総合計量は、組成物の約３重量％〜約２０重量％、好ましくは約５重量％〜約１５重量％であってもよい。
【０１６４】
使用方法
本明細書に述べられる容器システムは、容器内に収容されたパウチを保管、輸送、及び／又は販売するうえで適当でありうる。
【０１６５】
本明細書に述べられるパウチのいずれか、及びパウチ内に収容される家庭用ケア組成物を、例えば、布地又は硬質表面などの基材を、フィルム、物品、及び／又はそれらに含まれる組成物と接触させることによって基材を処理するために使用することができる。接触工程は、手動で、又は自動機械、例えば自動（トップ又はフロントローディング式）洗濯機又は自動食器洗い機で行うことができる。接触工程は、約８０℃以下、又は約６０℃以下、又は約４０℃以下、又は約３０℃以下、又は約２０℃以下、又は約１５℃以下、又は約１０℃以下、又は約５℃以下の温度でよい水の存在下で行うことができる。接触工程に続いて、複数回のすすぎサイクル、又は１回のすすぎサイクルをも行うことができる。本方法は、閉じた容器を開封する工程と、容器内に収容されたパウチにアクセスする工程とを含むことができる。この方法は更に、容器を閉じる工程を含むことができる。
【０１６６】
布地などの基材を処理する方法は、閉じた容器を開封する工程と、当該容器の内部空間に収容されたパウチにアクセスする工程であって、当該パウチは、水溶性フィルムと、当該水溶性フィルムによって区画内に少なくとも部分的に封入された家庭用ケア組成物とを含み、当該家庭用ケア組成物は家庭用ケア組成物の約０．１重量％〜約１０重量％の香料と、家庭用ケア組成物の約１重量％〜約５０重量％の有機溶媒とを含み、当該フィルムは、ポリビニルアルコール（ＰＶＯＨ）樹脂ブレンドを含み、当該ＰＶＯＨ樹脂ブレンドは、第１のアニオン性モノマー単位と、ビニルアルコールモノマー単位と、任意に酢酸ビニル単位と、を含む第１のＰＶＯＨポリマーを含み、当該ＰＶＯＨ樹脂ブレンドは、ａ）第２のアニオン性モノマー単位と、ビニルアルコールモノマー単位と、任意に酢酸ビニル単位と、を含むＰＶＯＨポリマー、又はｂ）ビニルアルコールモノマー単位と任意に酢酸ビニル単位とから本質的になるＰＶＯＨホモポリマーからなる群から選択される第２のＰＶＯＨポリマーを更に含む、工程と、当該パウチを水と加え合わせることにより、当該水溶性フィルムの少なくとも一部が溶解することで当該家庭用ケア組成物の少なくとも一部を放出する工程と、処理される基材を当該家庭用ケア組成物と接触させる工程と、を含むことができる。
【０１６７】
本開示は更に、容器の開封時に心地よい香り体験をもたらすための水溶性フィルムの使用に関し、当該水溶性フィルムがパウチを形成して香料と有機溶媒とを含む家庭用ケア組成物を区画内に少なくとも部分的に封入し、当該水溶性フィルムは、ポリビニルアルコール（ＰＶＯＨ）樹脂ブレンドを含み、当該ＰＶＯＨ樹脂ブレンドは、第１のアニオン性モノマー単位と、ビニルアルコールモノマー単位と、任意に酢酸ビニル単位と、を含む第１のＰＶＯＨポリマーを含み、当該ＰＶＯＨ樹脂ブレンドは、ａ）第２のアニオン性モノマー単位と、ビニルアルコールモノマー単位と、任意に酢酸ビニル単位と、を含むＰＶＯＨポリマー、又はｂ）ビニルアルコールモノマー単位と任意に酢酸ビニル単位とから本質的になるＰＶＯＨホモポリマーからなる群から選択される第２のＰＶＯＨポリマーを更に含む。
【０１６８】
実施例、第１部
本開示の具体的に想到される実施例を、ここで以下の番号を付した段落に記載する。これらの実施例は、説明を目的としたものであって、限定的なものではない。
１．内部空間を画定する壁を有する閉鎖可能な容器と、当該内部空間内の少なくとも１つのパウチであって、水溶性フィルムと、当該水溶性フィルムによって区画内に少なくとも部分的に封入された家庭用ケア組成物とを含む、パウチと、を含む、容器システムであって、当該家庭用ケア組成物は家庭用ケア組成物の約０．１重量％〜約１０重量％の香料と、家庭用ケア組成物の約１重量％〜約５０重量％の有機溶媒とを含み、当該フィルムは、ポリビニルアルコール（ＰＶＯＨ）樹脂ブレンドを含み、当該ＰＶＯＨ樹脂ブレンドは、第１のアニオン性モノマー単位と、ビニルアルコールモノマー単位と、任意に酢酸ビニル単位と、を含む第１のＰＶＯＨポリマーを含み、当該ＰＶＯＨ樹脂ブレンドは、ａ）第２のアニオン性モノマー単位と、ビニルアルコールモノマー単位と、任意に酢酸ビニル単位と、を含む、ＰＶＯＨポリマー、又はｂ）ビニルアルコールモノマー単位と、任意に酢酸ビニル単位と、から本質的になるＰＶＯＨホモポリマーからなる群から選択される第２のＰＶＯＨポリマーを更に含む、容器システム。
２．当該第１のアニオン性モノマー単位が、ビニル酢酸、マレイン酸、マレイン酸モノアルキル、マレイン酸ジアルキル、マレイン酸無水物、フマル酸、フマル酸モノアルキル、フマル酸ジアルキル、フマル酸モノメチル、フマル酸ジメチル、フマル酸無水物、イタコン酸、イタコン酸モノメチル、イタコン酸ジメチル、イタコン酸無水物、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記の塩、好ましくは上記のアルカリ金属塩、上記のエステル、及びこれらの組み合わせからなる群から選択されるメンバーに由来する、段落１に記載の容器システム。
３．当該第１のアニオン性モノマー単位が、カルボキシル化アニオン性モノマー単位に由来する、段落１〜２のいずれかに記載の容器システム。
４．当該第１のアニオン性モノマー単位が、マレイン酸、マレイン酸モノアルキル、マレイン酸ジアルキル、無水マレイン酸、及びこれらの組み合わせからなる群から選択されるメンバーに由来する、段落１〜３のいずれかに記載の容器システム。
５．当該第１のアニオン性モノマー単位が、マレイン酸モノメチル、その塩、及びこれらの組み合わせからなる群から選択されるマレイン酸モノアルキルに由来する、段落１〜４のいずれかに記載の容器システム。
６．当該第１のアニオン性モノマー単位が、当該第１のＰＶＯＨポリマー中に、当該第１のＰＶＯＨポリマーの約１．０モル％〜約５．０モル％、好ましくは約２モル％〜約４モル％の範囲の量で存在する、段落１〜５のいずれかに記載の容器システム。
７．当該第１のアニオン性モノマー単位が、当該フィルム中に、当該フィルム中の全ＰＶＯＨポリマーの約０．５モル％〜約５モル％の範囲の量で存在する、段落１〜６のいずれかに記載の容器システム。
８．当該第１のＰＶＯＨポリマーが、当該フィルム中の全ＰＶＯＨポリマーの約１０重量％〜約９０重量％の範囲の量で存在する、段落１〜７のいずれかに記載の容器システム。
９．当該第２のＰＶＯＨポリマーが、第２のアニオン性モノマー単位を含む、段落１〜８のいずれかに記載の容器システム。
１０．当該第２のアニオン性モノマー単位が、当該第１のアニオン性モノマー単位と異なる、段落１〜９のいずれかに記載の容器システム。
１１．当該第２のアニオン性モノマー単位が、ビニル酢酸、マレイン酸、マレイン酸モノアルキル、マレイン酸ジアルキル、マレイン酸無水物、フマル酸、フマル酸モノアルキル、フマル酸ジアルキル、フマル酸モノメチル、フマル酸ジメチル、フマル酸無水物、イタコン酸、イタコン酸モノメチル、イタコン酸ジメチル、イタコン酸無水物、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、上記の塩、好ましくは上記のアルカリ金属塩、上記のエステル、及びこれらの組み合わせからなる群のメンバーに由来する、段落９〜１１のいずれかに記載の容器システム。
１２．第２のアニオン性モノマー単位が、スルホン化アニオン性モノマー単位に由来する、好ましくはアクリルアミドメチルプロパンスルホン酸、その塩、及びこれらの組み合わせからなる群から選択されるメンバーに由来する、段落９〜１１のいずれかに記載の容器システム。
１３．当該第１のＰＶＯＨポリマーが、当該ＰＶＯＨブレンド中に、当該ブレンド中の全ＰＶＯＨポリマーの約５０重量％〜約９０重量％の範囲の量で存在し、当該第１のアニオン性モノマー単位は、マレイン酸モノメチル、そのアルカリ金属塩、及びこれらの組み合わせからなる群から選択されるメンバーに由来し、当該第２のＰＶＯＨポリマーは、ＰＶＯＨブレンド中に、当該ブレンド中の全ＰＶＯＨポリマーの約１０重量％〜約５０重量％の範囲で存在し、当該第２のモノマー単位は、アクリルアミドメチルプロパンスルホン酸、そのアルカリ金属塩、及びこれらの組み合わせからなる群から選択されるメンバーに由来する、段落９〜１２のいずれかに記載の容器システム。
１４．当該第１のＰＶＯＨポリマーが当該第１のアニオン性モノマー単位の第１の含有度（ａ１）を有し、当該第２のＰＶＯＨポリマーが当該第２のアニオン性モノマー単位の第２の含有度（ａ２）を有し、当該第１及び第２のアニオン性モノマーが同じである場合、｜ａ１−ａ２｜の絶対値が０よりも大きい、段落９〜１３のいずれかに記載の容器システム。
１５．ａ１が、当該第１のＰＶＯＨポリマーの約１モル％〜約５モル％、好ましくは約１モル％〜約３モル％の範囲であり、ａ２が、当該第２のＰＶＯＨポリマーの約１モル％〜約５モル％、好ましくは約１モル％〜約３モル％の範囲であり、｜ａ１−ａ２｜、好ましくはａ１−ａ２が、約０モル％〜約３モル％、又は約１モル％〜約３モル％の範囲である、段落９〜１４のいずれかに記載の容器システム。
１６．当該第２のアニオン性モノマー単位が、当該第２のＰＶＯＨポリマー中に、当該第２のＰＶＯＨポリマーの約１．０モル％〜約５．０モル％の範囲の量で存在する、段落９〜１５のいずれかに記載の容器システム。
１７．当該第２のアニオン性モノマー単位が、当該フィルム中に、当該フィルム中の全ＰＶＯＨポリマーの約０．２モル％〜約４．５モル％の範囲の量で存在する、段落９〜１６のいずれかに記載の容器システム。
１８．当該第１のアニオン性モノマー単位と当該第２のアニオン性モノマー単位とが、当該フィルム中の全ＰＶＯＨポリマーの約２．０モル％〜約３．５モル％の範囲の合計量でともに存在する、段落９〜１７のいずれかに記載の容器システム。
１９．当該第２のＰＶＯＨポリマーが、当該フィルム中の全ＰＶＯＨポリマーの約１０重量％〜約９０重量％の範囲の量で存在する、段落９〜１８のいずれかに記載の容器システム。
２０．当該第２のＰＶＯＨポリマーが、ＰＶＯＨホモポリマーである、段落１〜８のいずれかに記載の容器システム。
２１．当該第１のＰＶＯＨポリマーが、当該ＰＶＯＨブレンド中に、当該ブレンド中の全ＰＶＯＨポリマーの約２０重量％〜約６５重量％、好ましくは約２０重量％〜約６０重量％、より好ましくは約３０重量％〜約４０重量％の範囲で存在し、ただし、当該第１のＰＶＯＨポリマーの当該第１のアニオン性モノマー単位は、マレイン酸モノメチル、そのアルカリ金属塩、及びこれらの組み合わせからなる群から選択されるメンバーに由来し、当該ＰＶＯＨホモポリマーは、２０℃での４％溶液粘度（μ２）が約１０ｃＰ〜約３０ｃＰであることを特徴とし、かつ当該ＰＶＯＨ樹脂ブレンド中に、当該ブレンド中の全ＰＶＯＨポリマーの約４０重量％〜約８０重量％、好ましくは約６０重量％〜約７０重量％の範囲で存在する、段落１〜８及び／又は２０のいずれかに記載の容器システム。
２２．当該第２のＰＶＯＨポリマーが、約１０ｃＰ〜約４０ｃＰ、又は約１０ｃＰ〜約３０ｃＰ、又は約１２ｃＰ〜約２５ｃＰの２０℃での４％溶液粘度（μ２）を特徴とする、段落１〜２１のいずれかに記載の容器システム。
２３．第２のＰＶＯＨポリマーが、約６０％〜約９９％、好ましくは約８０％〜約９８％、好ましくは約８５％〜約９５％、好ましくは約８７％〜約９２％の加水分解度を特徴とする、段落１〜２３のいずれかに記載の容器システム。
２４．当該第１のＰＶＯＨポリマーは、第１の２０℃での４％溶液粘度（μ１）を特徴とし、当該第２のＰＶＯＨポリマーは、第２の２０℃での４％溶液粘度（μ２）を特徴とし、当該第１のＰＶＯＨポリマーと当該第２のＰＶＯＨポリマーとの絶対粘度の差｜μ２−μ１｜が、０ｃＰ〜約１０ｃＰの範囲である、段落１〜２３のいずれかに記載の容器システム。
２５．当該ＰＶＯＨ樹脂ブレンドが、当該水溶性フィルム中に、当該フィルムの約３０重量％〜約９５重量％の範囲の量で存在する、段落１〜２５のいずれかに記載の容器システム。
２６．当該水溶性フィルムが、以下の特性、ａ）溶解チャンバ試験によって測定した場合に約４８重量％以下の残留率の値、ｂ）引張強度試験によって測定した場合に少なくとも約３３ＭＰａの平均引張強度の値である、及び／又は、ｃ）弾性率試験によって測定した場合に少なくとも約１２Ｎ／ｍｍ２の弾性率の値、のうちの少なくとも１つ、又は少なくとも２つ、又は３つすべてを有する、段落１〜２５のいずれかに記載の容器システム。
２７．当該水溶性フィルムが、好ましくはＰＶＯＨポリマー以外のポリマーである少なくとも第３の水溶性ポリマーを更に含む、段落１〜２６のいずれかに記載の容器システム。
２８．当該第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びこれらの塩、デキストリン、エチルセルロース、ヒドロキシエチルセルロース、ヒドロキシプロピルメチルセルロース、マルトデキストリン、デンプン、化工デンプン、グアーガム、アカシアガム、キサンタンガム、カラギーナン、ポリアクリレート及びこれらの塩、これらのコポリマー、これらのブレンド、及びこれらの組み合わせからなる群から選択される、段落２７に記載の容器システム。
２９．当該水溶性フィルムが、可塑剤、可塑剤相溶化剤、潤滑剤、離型剤、充填剤、増量剤、架橋剤、アンチブロッキング剤、抗酸化剤、粘着性除去剤、消泡剤、ナノ粒子、漂白剤、界面活性剤、及びこれらの組み合わせからなる群から選択される１つ以上の成分を更に含む、段落１〜２８のいずれかに記載の容器システム。
３０．当該水溶性フィルムが、当該フィルムの約１重量％〜約４０重量％の範囲の量の１種類以上の可塑剤を更に含む、段落１〜２９のいずれかに記載の容器システム。
３１．当該パウチが、少なくとも２個の区画、又は少なくとも３個の区画を有する、段落１〜３０のいずれかに記載の容器システム。
３２．当該香料が、香料の約１５重量％〜約６０重量％の、Ｑｕａｄｒａｎｔ  Ｉ香料成分、Ｑｕａｄｒａｎｔ  ＩＩ香料成分、Ｑｕａｄｒａｎｔ  ＩＩＩ香料成分、及びこれらの組み合わせから選択される非永続性香料成分を含む、段落１〜３１のいずれかに記載の容器システム。
３３．当該香料が、香料の約２重量％〜約１５重量％のＱｕａｄｒａｎｔ  Ｉ香料成分を含む、段落１〜３２のいずれかに記載の容器システム。
３４．当該香料が、ａ）香料アコードの約２重量％〜約１５重量％、好ましくは約３重量％〜約１２重量％、より好ましくは約４重量％〜約１０重量％のＱｕａｄｒａｎｔ  Ｉ香料成分、ｂ）約２．５重量％〜約２５重量％、好ましくは約３重量％〜約２０重量％、より好ましくは約５重量％〜約１５重量％のＱｕａｄｒａｎｔ  ＩＩ香料成分、ｃ）約１０重量％〜約５０重量％、好ましくは約１５重量％〜約４５重量％、より好ましくは約２０重量％〜約４０重量％のＱｕａｄｒａｎｔ  ＩＩＩ香料成分、及び／又は、ｄ）約４０重量％〜約８５重量％、好ましくは約４５重量％〜約７５重量％、より好ましくは約４０重量％〜約６５重量％のＱｕａｄｒａｎｔ  ＩＶ香料成分を含む、段落１〜３３のいずれかに記載の容器システム。
３５．当該香料の一部がコアシェル封入体に封入されている、段落１〜３４のいずれかに記載の容器システム。
３６．当該有機溶媒が、モノアルコール、ポリオール、グリコール、及びこれらの組み合わせからなる群から選択される、段落１〜３５のいずれかに記載の容器システム。
３７．当該有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、段落１〜３６に記載の容器システム。
３８．当該有機溶媒が、全有機溶媒の少なくとも約１０重量％、又は少なくとも約２０重量％の、沸点が２５０℃よりも高い有機溶媒を含み、当該香料が、全香料の少なくとも約１０重量％、又は少なくとも約２０重量％、又は少なくとも約３０重量％の、沸点が２５０℃よりも低い香料原料を含む、段落１〜３７のいずれかに記載の容器システム。
３９．当該有機溶媒が、全有機溶媒の少なくとも約５０重量％、又は少なくとも約８０重量％、又は少なくとも約９０重量％、又は更には少なくとも約９５重量％の、ｃｌｏｇＰ値が０よりも小さい有機溶媒を含み、当該香料が、全香料の少なくとも約５０重量％、又は少なくとも約８０重量％、又は少なくとも約９０重量％、又は更には少なくとも約９５重量％の、ｃｌｏｇＰ値が０よりも大きい香料原料を含む、段落１〜３８のいずれかに記載の容器システム。
４０．当該フィルムが少なくとも１種類の可塑剤を更に含み、当該有機溶媒のうちの少なくとも１つが当該可塑剤と同じであり（「共通溶媒／可塑剤」）、好ましくは当該共通溶媒／可塑剤は、グリセロール、ソルビトール、ジプロピレングリコール、１，２−プロパンジオール、１，３−プロパンジオール、及びこれらの組み合わせから選択される、段落１〜３９のいずれかに記載の容器システム。
４１．当該家庭用ケア組成物が、組成物の約５重量％〜約７０重量％の界面活性剤を含む、段落１〜４０のいずれかに記載の容器システム。
４２．当該家庭用ケア組成物が、布地ケア組成物である、段落１〜４１のいずれかに記載の容器システム。
４３．当該閉鎖可能な容器が再閉鎖可能である、段落１〜４２のいずれかに記載の容器システム。
４４．当該閉鎖可能な容器が、可撓性の袋及び剛性のタブから選択される、段落１〜４３のいずれかに記載の容器システム。
４５．布地などの基材を処理する方法であって、閉じた容器を開封する工程と、当該容器の内部空間に収容されたパウチにアクセスする工程であって、当該パウチが段落１〜４４のいずれかに記載のものであり、好ましくは当該パウチは、水溶性フィルムと、当該水溶性フィルムによって区画内に少なくとも部分的に封入された家庭用ケア組成物とを含み、当該家庭用ケア組成物は家庭用ケア組成物の約０．１重量％〜約１０重量％の香料と、家庭用ケア組成物の約１重量％〜約５０重量％の有機溶媒とを含み、当該フィルムは、ポリビニルアルコール（ＰＶＯＨ）樹脂ブレンドを含み、当該ＰＶＯＨ樹脂ブレンドは、第１のアニオン性モノマー単位と、ビニルアルコールモノマー単位と、任意に酢酸ビニル単位と、を含む第１のＰＶＯＨポリマーを含み、当該ＰＶＯＨ樹脂ブレンドは、ａ）第２のアニオン性モノマー単位と、ビニルアルコールモノマー単位と、任意に酢酸ビニル単位と、を含むＰＶＯＨポリマー、又はｂ）ビニルアルコールモノマー単位と任意に酢酸ビニル単位とから本質的になるＰＶＯＨホモポリマーからなる群から選択される第２のＰＶＯＨポリマーを更に含む、工程と、当該パウチを水と加え合わせることにより、当該水溶性フィルムの少なくとも一部が溶解することで当該家庭用ケア組成物の少なくとも一部を放出する工程と、処理される基材を当該家庭用ケア組成物と接触させる工程と、を含む、方法。
４６．容器の開封時に心地よい香り体験をもたらすための水溶性フィルムの使用であって、当該水溶性フィルムが段落１〜４４のいずれかに記載のパウチを形成し、好ましくは当該フィルムはパウチを形成して香料と有機溶媒とを含む家庭用ケア組成物を区画内に少なくとも部分的に封入し、当該水溶性フィルムは、ポリビニルアルコール（ＰＶＯＨ）樹脂ブレンドを含み、当該ＰＶＯＨ樹脂ブレンドは、第１のアニオン性モノマー単位と、ビニルアルコールモノマー単位と、任意に酢酸ビニル単位と、を含む第１のＰＶＯＨポリマーを含み、当該ＰＶＯＨ樹脂ブレンドは、ａ）第２のアニオン性モノマー単位と、ビニルアルコールモノマー単位と、任意に酢酸ビニル単位と、を含むＰＶＯＨポリマー、又はｂ）ビニルアルコールモノマー単位と任意に酢酸ビニル単位とから本質的になるＰＶＯＨホモポリマーからなる群から選択される第２のＰＶＯＨポリマーを更に含む、使用。
【０１６９】
試験方法
以下の試験方法を用いて、本明細書に述べられる特定の特性のいくつかを決定することができる。
【０１７０】
溶解チャンバ残渣試験
溶解チャンバ（ＤＣ）試験にしたがって溶け残った残渣を特徴とするか又は溶け残った残渣について試験される水溶性フィルムを、以下の材料を使用して下記に示すように分析する。
１．ビーカー（４０００ｍＬ）；
２．ステンレス鋼製ワッシャ（外径８８．９ｍｍ（３．５インチ）、内径４７．６ｍｍ（１．８７５インチ）、厚さ３．１８ｍｍ（０．１２５インチ））；
３．スチレンブタジエンゴム製ガスケット（外径８５．７ｍｍ（３．３７５インチ）、内径４８．５ｍｍ（１．９１インチ）、厚さ３．１８ｍｍ（０．１２５インチ））；
４．ステンレス鋼製スクリーン（外径７６．２ｍｍ（３．０インチ）、２００×２００メッシュ、外径０．０５３ｍｍ（０．００２１インチ）ワイヤＯＤ、３０４ＳＳステンレス鋼線クロス）；
５．温度計（０℃〜１００℃、精度±１℃以内）；
６．打ち抜きパンチ（直径３８．１ｍｍ（１．５インチ））；
７．タイマー（秒単位の精度）；
８．逆浸透（ＲＯ）水；
９．バインダークリップ（サイズ５号又は同等のもの）；
１０．アルミニウムパン（外径５０．８ｍｍ（２．０インチ））；及び、
１１．超音波処理器。
【０１７１】
試験する各フィルムについて、厚さ７６．２±２．５μｍ（又は３．０±０．１０ミル）の選択された試験フィルムから３つの試験片を打ち抜きパンチを用いて切り抜く。フィルムのウェブから切り出す場合には、各試験片をウェブの横断方向に沿って等間隔をおいたウェブの領域から切断する。次いで、以下の手順を用いて各試験片を分析する。
１．フィルム試験片を秤量し、試験を通じて試験片を追跡する。初期フィルム重量（Ｆｏ）を記録する。
２．各試験片について２枚１組の超音波処理した汚れのない乾燥したスクリーンを秤量し、試験を通じて追跡する。初期のスクリーンの重量（２枚のスクリーンを加え合わせた合計をＳ０とする）を記録する。
３．フィルム試験片を２枚のスクリーンの中心に置き、次いで２個のゴム製ガスケット（両側でスクリーンとワッシャとの間に１個のガスケットを配置する）、更に２個のワッシャで平らに挟んで試験片溶解チャンバを組み立てる。
４．各ワッシャの周囲に等間隔に配した４個のバインダークリップによって溶解チャンバを固定し、各クリップを折り返す。
５．実験室温度（２２±２℃、７２±３°Ｆ）で１５００ｍＬの逆浸透水でビーカーを満たし、室温を記録する。
６．５分間の所定の浸漬時間にタイマーを設定する。
７．溶解チャンバアセンブリをビーカーの中に入れ、直ちにタイマーをスタートさせ、溶解チャンバアセンブリを水面に約４５°の進入角度で挿入する。この進入角度は、溶解チャンバから気泡を除去する助けとなる。溶解チャンバアセンブリは、試験片フィルムが底から約１０ｍｍに水平に位置するようにビーカーの底に静止する。溶解チャンバアセンブリの４個の折り返されたバインダークリップは、ビーカーの底から約１０ｍｍのフィルムのクリアランスを維持するのに適当であるが、他の任意の同等の支持手段を用いてもよい。
８．５分間の所定の浸漬時間が経過した時点で、溶解チャンバアセンブリを約４５°の角度でビーカーからゆっくりと取り出す。
９．溶解チャンバアセンブリをアルミニウムパンの上で水平に保持してスクリーンからの滴下物を全て捕捉し、バインダークリップ、ワッシャ、及びガスケットを慎重に取り外す。挟まれたスクリーンを開かないようにする。
１０．挟み込まれたスクリーン（すなわちスクリーン／残留した溶け残ったフィルム／スクリーン）をアルミニウムパンの上に置き、１００℃のオーブンに入れて３０分間、乾燥させる。
１１．乾燥させたスクリーンの組を、その内部の残留した溶け残ったフィルムごと秤量する。この乾燥スクリーンの重量を測定し、溶解チャンバアセンブリをビーカーから最初に取り出して乾燥させた際にパンの中に捕捉され、パンから回収された（例えば掻き落とすことにより）乾燥させたフィルム滴下物を全て加える。挟み込まれたスクリーンの重量を記録する（乾燥させたフィルム滴下物を含めた合計をＳｆとする）。
１２．フィルム試験片について残留した残渣率（％）を計算する（ＤＣ残渣）。すなわち、ＤＣ残渣率（％）＝１００＊（（Ｓｆ−Ｓｏ）／Ｆｏ）。
１３．挟み込まれたスクリーンを逆浸透水のビーカーに約２０分間浸漬することによってきれいにする。次いで、スクリーンを開き、超音波処理器（スイッチを入れ、逆浸透水を満たしたもの）で少なくとも５分間、又はスクリーン上に残渣が見られなくなるまで最終すすぎを行う。
【０１７２】
本開示に基づく水溶性フィルムの適当な挙動は、ＤＣ試験によって測定されたＤＣ残留値が約４５重量％以下、又は約４８重量％以下であることを特徴とする。水溶性フィルムは、少なくとも１、２、５、１０、又は２０重量％、かつ／又は約１５、２０、３０、４０、４５重量％、又は４８重量％以下（例えば、約５重量％〜約４８重量％、約１０重量％〜約４５重量％、約２０重量％〜約４５重量％、又は約３０重量％〜４０重量％）のＤＣ値を有することができる。
【０１７３】
引張強さ試験及び弾性率試験
引張強さ（ＴＳ）試験にしたがって引張強さによって、また、弾性率（ＭＯＤ）試験にしたがって弾性率を特徴とする、又はこれらの性質について試験しようとする水溶性フィルムを以下のようにして分析する。この手順では、ＡＳＴＭ  Ｄ  ８８２（「Ｓｔａｎｄａｒｄ  Ｔｅｓｔ  Ｍｅｔｈｏｄ  ｆｏｒ  Ｔｅｎｓｉｌｅ  Ｐｒｏｐｅｒｔｉｅｓ  ｏｆ  Ｔｈｉｎ  Ｐｌａｓｔｉｃ  Ｓｈｅｅｔｉｎｇ」）又は同等の方法にしたがった、引張強さの測定及び１００％伸び率での弾性率の測定を行う。インストロン引張試験装置（モデル５５４４引張試験機又は同等の装置）を使用してフィルムデータを収集する。寸法安定性及び再現性を確保するために信頼性の高い切断器具でそれぞれ切断した最小でも３つの試験片を、各測定で機械方向（ＭＤ）に試験した。各試験は、２３±２．０℃の標準的な実験室雰囲気かつ相対湿度３５±５％で行う。引張強さ又は弾性率の測定を行うため、厚さ７６．２±３．８μｍ（又は３．０±０．１５ミル）の単一のフィルムシートの幅１インチ（２．５４ｃｍ）の試料を作製する。次いで、試料をＩＮＳＴＲＯＮを引張試験機に移し、３５％の相対湿度環境下で露光を最小限に抑えた状態で試験を進める。引張試験機は製造者の指示にしたがって準備し、５００Ｎのロードセルを装着し、較正する。適正なグリップ及びフェースを装着する（ゴム被覆された幅２５ｍｍのモデル番号２７０２−０３２のフェースを有するＩＮＳＴＲＯＮグリップ、又は同等のもの）。各試料を引張試験機に装填し、伸長し、分析して１００％弾性率（すなわち１００％フィルム伸び率を得るのに必要な応力）及び引張強さ（すなわちフィルムを破断するのに必要とされる応力）を測定する。
【０１７４】
必要に応じて、フィルムをフィルムパケットのような物品への加工に適したものとする特定の機械的特性を特徴とすることができる。
【０１７５】
本開示に基づく水溶性フィルムは、ＴＳ試験により測定した場合に少なくとも約２４ＭＰａ又は約２８ＭＰａのＴＳ値を特徴とすることができる。一般に、より高いＴＳ値は、フィルムがシールの制限的又は最も弱い要素である任意に強度の高いパウチシールに相当することから望ましい。水溶性フィルムは、少なくとも約２４、２６、２８、３０、３３、３５ＭＰａかつ／又は約３２、３４、４０、４５又は５０ＭＰａ以下（例えば、約２４ＭＰａ〜約３６ＭＰａ又は約２８ＭＰａ〜約３２ＭＰａ）までのＴＳ値を有することができる。これに代えるか又はこれに加えて、適当なＴＳ値の範囲の上限を、ＰＶＯＨ樹脂ブレンド中に単一のＰＶＯＨポリマー、又はＰＶＯＨポリマーとＰＶＯＨコポリマーとのＰＶＯＨコポリマーのみを有する対応する水溶性フィルムのＴＳ値とすることができる（例えばより高いＴＳ値を有する対応する単一樹脂フィルム）。
【０１７６】
本開示に基づく水溶性フィルムは、ＭＯＤ試験で測定した場合に少なくとも約１１Ｎ／ｍｍ２又は約１２Ｎ／ｍｍ２のＭＯＤ値を特徴とすることができる。一般に、より高いＭＯＤ値は、より硬く、製造時又は最終的な消費者パッケージングにおいて互いの上に重ねられる際に変形しにくく、互いにくっつきにくいパウチに相当することから、望ましい。水溶性フィルムは、少なくとも約１１、１２、又は１３Ｎ／ｍｍ２、かつ／又は約１３、１４、１５、又は１６Ｎ／ｍｍ２以下のＭＯＤ値を有することができる（例えば、約１１Ｎ／ｍｍ２〜約１５Ｎ／ｍｍ２、又は約１２Ｎ／ｍｍ２〜約１４Ｎ／ｍｍ２）。これに代えるか又はこれに加えて、適当なＭＯＤ値の範囲の上限を、ＰＶＯＨ樹脂ブレンド中に単一のＰＶＯＨポリマー、又はＰＶＯＨポリマーとＰＶＯＨコポリマーとのＰＶＯＨコポリマーのみを有する対応する水溶性フィルムのＭＯＤ値とすることができる（例えばより高いＭＯＤ値を有する対応する単一樹脂フィルム）。
【０１７７】
実施例、第２部
以下の実施例は、本来、説明を目的としたものであって、非限定的なものである。
【０１７８】
実施例１：試料樹脂ブレンド、並びに試料樹脂ブレンドから製造されたフィルム及びパウチ
表２に、ＰＶＯＨフィルムの製造に使用可能ないくつかのＰＶＯＨポリマー樹脂（Ａ〜Ｊ）の例を示す。
【０１７９】
【表２】
2019513641.tif 000006
＊ナトリウム塩
＊＊アクリルアミドメチルプロパンスルホン酸（ナトリウム塩）のコモノマー
【０１８０】
表３は、表１に示したポリマーから製造することができる異なるＰＶＯＨポリマーブレンド（＃１〜１２）を示す。各ブレンドは、各ＰＶＯＨブレンド中の各ポリマーの相対重量％により示している。ＰＶＯＨ樹脂ブレンドは、水溶性フィルムを製造するために他のフィルム添加剤（例えば可塑剤など）と組み合わせて使用することができる。これらのフィルムは、洗濯用洗剤などの家庭用ケア組成物を収容するパウチを形成するために使用することができる。
【０１８１】
【表３】
2019513641.tif 000007
【０１８２】
実施例２：家庭用ケア組成物を収容したパウチ
一区画パウチ及び／又は多区画パウチは、実施例１で述べたフィルムのいずれか（例えば、ＰＶＯＨブレンド１〜１２のいずれかを含むフィルム）で形成することができる。パウチは、以下の配合に基づく家庭用ケア組成物を収容することができる。それぞれのパウチ内の香料は、Ｑｕａｄｒａｎｔ  Ｉ香料原料の少なくとも２重量％の香料を含む。より詳細には、表４に示されるように、実施例Ａ及び実施例Ｂの香料は、全香料の約２重量％〜約１０重量％のＱ１香料原料、約５重量％〜約１０重量％のＱ２香料原料、約３０〜約４０重量％のｑｕａｄｒａｎｔ  ３香料原料、及び約５０〜約６０重量％のｑｕａｄｒａｎｔ  ４香料原料を含む。
【０１８３】
【表４】
2019513641.tif 000008
【０１８４】
本明細書に開示した寸法及び値は、記載された正確な数値に厳密に限定されるものと理解されるべきではない。むしろ、特に指定がない限り、そのような各寸法は、記載された値及びその値の周辺の機能的に同等の範囲の両方を意味することを意図している。例えば「４０ｍｍ」として開示される寸法は、「約４０ｍｍ」を意味するものとする。
【０１８５】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用をも、本明細書中で開示又は特許請求される任意の発明に対する先行技術であるとはみなされず、あるいはそれを単独で又は他の任意の参考文献（１つ又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【０１８６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019513641.tif 000009
【図２】
2019513641.tif 000010
【図３】
2019513641.tif 000011
【図４】
2019513641.tif 000012
【図５】
2019513641.tif 000013
【図６】
2019513641.tif 000014
【国際調査報告】
2019513641.tif 000015
2019513641.tif 000016